(57)【要約】  電源システムは、主蓄電装置（ＢＡ）と複数の副蓄電装置（ＢＢ１，ＢＢ２）とを含む。コンバータ（１２Ｂ）は、副蓄電装置（ＢＢ１，ＢＢ２）の一方と順次接続されて、この選択副蓄電装置と給電ライン（ＰＬ２）との間で双方向の電圧変換を行なう。副蓄電装置の接続切換処理を経て、最後の副蓄電装置が使用されている状態では、当該副蓄電装置のＳＯＣと車両状態とに基づいて、副蓄電装置の切離要求が発生される。具体的には、ＳＯＣが下限判定値よりも低下した強制切離領域では、車両状態にかかわらず強制的に副蓄電装置の切離処理が発生される。一方で、強制切離領域よりもＳＯＣが高い切離許可領域では、車両状態に基づいて、車両運転性（ドライバビリティ）に影響を与えないような状態を見計らって切離要求が発生される。
2010143277.tif 000002
【特許請求の範囲】
【請求項１】
車両駆動パワーを発生するモータ（ＭＧ２）を搭載した電動車両（１）の電源システムであって、
主蓄電装置（ＢＡ）と、
前記モータを駆動制御するインバータ（１４）に給電を行なう給電ライン（ＰＬ２）と、
前記給電ラインと前記主蓄電装置との間に設けられ、双方向の電圧変換を行なうように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行なうように構成された第２の電圧変換器（１２Ｂ）と、
前記複数の副蓄電装置と前記第２の電圧変換器との間に設けられ、前記複数の副蓄電装置と前記第２の電圧変換器との間の接続および切離を制御するように構成された接続部（３９Ｂ）と、
第１のモードでは、前記複数の副蓄電装置のうちの、順次選択された選択副蓄電装置（ＢＢ）と前記第２の電圧変換器との間を接続するとともに残りの副蓄電装置と前記第２の電圧変換器との間を切離す一方で、第２のモードでは、前記複数の副蓄電装置の各々を前記前記第２の電圧変換器と切離すように前記接続部を制御するための制御装置（３０）とを備え、
前記制御装置は、
前記第１のモードにおいて現在の前記選択蓄電装置と交換可能な副蓄電装置が残っていない場合に、前記選択副蓄電装置の残存容量（ＳＯＣ）が予め設定された第１の判定値（ＴＨ１）よりも低い第１の状態であることを検知するように構成された第１の判定部（１０１）と、
前記第１の判定部によって前記第１の状態が検知されたときに、前記電動車両の全体要求パワーへの対応性に関連する車両状態に応じて、前記第１のモードから前記第２のモードへの移行を指示する切離要求を発生するように構成された第２の判定部（１０２，１０６，１０７）と、
前記第１のモードにおいて現在の前記選択蓄電装置の他に使用可能な副蓄電装置が残っていない場合に、前記選択副蓄電装置の残存容量が、前記第１の判定値より低い第２の判定値（ＴＨ２）よりも低下した第２の状態が検知されたときに、前記車両状態にかかわらず前記切離要求を発生するように構成された第３の判定部（１０３，１０７）とを含む、電動車両の電源システム。
【請求項２】
前記第２の判定部（１０２）は、前記第１の判定部（１０１）によって前記第１の状態が検知されたときに、前記電動車両（１）の全体要求パワー（Ｐｔｔｌ）が判定値よりも低いと、前記切離要求を発生するように構成される、請求の範囲第１項に記載の電動車両の電源システム。
【請求項３】
前記判定値は、前記主蓄電装置（ＢＡ）の出力電力上限値（Ｗｏｕｔ（Ｍ））に基づいて可変に設定される、請求の範囲第２項に記載の電動車両の電源システム。
【請求項４】
前記電動車両（１）は、
前記モータ（ＭＧ２）とは独立に車両駆動パワーを出力可能に構成された内燃機関（４）と、
前記電動車両の全体要求パワー（Ｐｔｔｌ）を、前記モータの出力パワーと、前記内燃機関の出力パワーとに分配する走行制御部（２５０）とをさらに備え、
前記第２の判定部（１０２）は、前記第１の判定部（１０１）によって前記第１の状態が検知されたときに、前記内燃機関が作動中であると前記切離要求を発生するように構成される、請求の範囲第１項に記載の電動車両の電源システム。
【請求項５】
前記制御装置は、
前記切離要求が発生されたときに、前記給電ラインの電圧（ＶＨ）を、少なくとも前記主蓄電装置および前記複数の副主蓄電装置の各出力電圧よりも高い第１の電圧（Ｖ１）とするように前記第１の電圧変換器に指示するように構成された昇圧指示部（１１０）と、
前記給電ラインの電圧が前記第１の電圧に達した後に、前記選択副蓄電装置による入出力電力上限値（Ｗｉｎ（Ｓ），Ｗｏｕｔ（Ｓ））を徐々に零まで減少させるように構成された電力制限部（１２０）と、
前記電力制限部によって前記入出力電力上限値が零に設定されたときに、前記接続部に対して、前記選択副蓄電装置を前記第２の電圧変換器から切離すとともに、前記残りの副蓄電装置と前記第２の電圧変換器との間の切離状態を維持するように指示する切離制御部（１４０）と、
前記切離制御部によって各前記副蓄電装置が前記第２の電圧変換器から切離された後に、前記給電ラインの電圧制御範囲の下限値を、前記第１のモードにおける当該下限値よりも低下させて前記主蓄電装置の出力電圧に設定するように構成された昇圧停止許可部（１６０）とをさらに含む、請求の範囲第１〜４項のいずれか１項に記載の電動車両の電源システム。
【請求項６】
車両駆動パワーを発生するモータ（ＭＧ２）を搭載した電動車両（１）の電源システムの制御方法であって、
前記電源システムは、
主蓄電装置（ＢＡ）と、
前記モータを駆動制御するインバータ（１４）に給電を行なう給電ライン（ＰＬ２）と、
前記給電ラインと前記主蓄電装置との間に設けられ、双方向の電圧変換を行なうように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行なうように構成された第２の電圧変換器（１２Ｂ）と、
前記複数の副蓄電装置と前記第２の電圧変換器との間に設けられ、前記複数の副蓄電装置と前記第２の電圧変換器との間の接続および切離を制御するように構成された接続部（３９Ｂ）と、
第１のモードでは、前記複数の副蓄電装置のうちの、順次選択された選択副蓄電装置（ＢＢ）と前記第２の電圧変換器との間を接続するとともに残りの副蓄電装置と前記第２の電圧変換器との間を切離す一方で、第２のモードでは、前記複数の副蓄電装置の各々を前記前記第２の電圧変換器と切離すように前記接続部を制御するための制御装置（３０）とを備え、
前記制御方法は、
前記第１のモードにおいて現在の前記選択蓄電装置と交換可能な副蓄電装置が残っていない場合に、前記選択副蓄電装置の残存容量（ＳＯＣ）が予め設定された第１の判定値（ＴＨ１）よりも低い第１の状態であることを検知するステップ（Ｓ１１０、Ｓ１２０）と、
前記検知するステップによって前記第１の状態が検知されたときに、前記電動車両の全体要求パワーへの対応性に関連する車両状態に応じて、前記第１のモードから前記第２のモードへの移行を指示する切離要求を発生するステップ（Ｓ１３０）と、
前記第１のモードにおいて現在の前記選択蓄電装置の他に使用可能な副蓄電装置が残っていない場合に、前記選択副蓄電装置の残存容量が、前記第１の判定値より低い第２の判定値（ＴＨ２）よりも低下した第２の状態が検知されたときに、前記車両状態にかかわらず前記切離要求を発生するステップ（Ｓ１４０）とを備える、電動車両の電源システムの制御方法。
【請求項７】
前記切離要求を発生するステップ（Ｓ１３０）は、前記検知するステップ（Ｓ１２０）によって前記第１の状態が検知されたときに、前記電動車両（１）の全体要求パワー（Ｐｔｔｌ）が判定値よりも低いと前記切離要求を発生する、請求の範囲第６項に記載の電動車両の電源システムの制御方法。
【請求項８】
前記判定値は、前記主蓄電装置（ＢＡ）の出力電力上限値（Ｗｏｕｔ（Ｍ））に基づいて可変に設定される、請求の範囲第７項に記載の電動車両の電源システムの制御方法。
【請求項９】
前記電動車両（１）は、前記モータ（ＭＧ２）とは独立に車両駆動パワーを出力可能に構成された内燃機関（４）をさらに搭載し、
前記切離要求を発生するステップ（Ｓ１３０）は、前記検知するステップ（Ｓ１２０）によって前記第１の状態が検知されたときに、前記内燃機関が作動中であると前記切離要求を発生する、請求の範囲第６項に記載の電動車両の電源システムの制御方法。
【請求項１０】
前記切離要求が発生されたときに、前記給電ラインの電圧（ＶＨ）を、少なくとも前記主蓄電装置および前記複数の副主蓄電装置の各出力電圧よりも高い第１の電圧（Ｖ１）とするように前記第１の電圧変換器に指示するステップ（Ｓ２００）と、
前記給電ラインの電圧が前記第１の電圧に達した後に、前記選択副蓄電装置による入出力電力上限値（Ｗｉｎ（Ｓ），Ｗｏｕｔ（Ｓ））を徐々に零まで減少させるステップ（Ｓ３２０，Ｓ３３０）と、
前記減少させるステップによって前記入出力電力上限値が零に設定されたときに、前記接続部に対して、前記選択副蓄電装置を前記第２の電圧変換器から切離すとともに、前記残りの副蓄電装置と前記第２の電圧変換器との間の切離状態を維持するように指示するステップ（Ｓ４２０）と、
前記指示するステップによって各前記副蓄電装置が前記第２の電圧変換器から切離された後に、前記給電ラインの電圧制御範囲の下限値を、前記第１のモードにおける当該下限値よりも低下させて前記主蓄電装置の出力電圧に設定するステップ（Ｓ５６０）とをさらに備える、請求の範囲第６〜９項のいずれか１項に記載の電動車両の電源システムの制御方法。
【発明の詳細な説明】
【技術分野】
【０００１】
この発明は、電動車両の電源システムおよびその制御方法に関し、より特定的には、主蓄電装置および複数の副蓄電装置を搭載する電動車両の電源システム制御に関する。
【背景技術】
【０００２】
近年、環境にやさしい車両として、電気自動車、ハイブリッド自動車および燃料電池自動車等の電動車両が開発され実用化されている。これらの電動車両には、車両駆動力を発生する電動機および、蓄電装置を含んで構成された電動機駆動電力を供給するための電源システムが搭載されている。【０００３】
特に、ハイブリッド自動車の車載蓄電装置を車両外部の電源（以下、「外部電源」とも称する）によって充電する構成が提案されていることもあり、これらの電動車両では、車載蓄電装置の蓄積電力によって走行可能な距離を長くすることが求められている。なお、以下では、外部電源による車載蓄電装置の充電について、単に「外部充電」とも称する。【０００４】
たとえば、特開２００８−１０９８４０号公報（特許文献１）には、複数個の蓄電装置（バッテリ）を並列接続した電源システムが記載されている。特許文献１に記載の電源システムでは、蓄電装置（バッテリ）ごとに充放電調整機構としての電圧変換器（コンバータ）が設けられている。これに対して、特開２００８−１６７６２０号公報（特許文献２）には、主蓄電装置と複数の副蓄電装置とを搭載した車両において、主蓄電装置に対応するコンバータと、複数の副蓄電装置により共有されるコンバータとを設ける電源装置の構成が記載されている。この構成によれば、装置の要素の数を抑制しつつ蓄電可能なエネルギ量を増やすことができる。【０００５】
特に、特許文献２に記載された構成では、複数の副蓄電装置のうちの１つが選択的にコンバータと接続されて、主蓄電装置および選択副蓄電装置によって、車両駆動用電動機の駆動電力が供給される。このような電源装置では、使用中の副蓄電装置のＳＯＣ（State  of  Charge）が低下すると、新たな副蓄電装置とコンバータとを接続するようにして、複数個の副蓄電装置を順次使用することによって、蓄電エネルギによる走行距離（ＥＶ（Electric  Vehicle）走行距離）を延ばしている。
【先行技術文献】
【特許文献】
【０００６】
【特許文献１】特開２００８−１０９８４０号公報
【特許文献２】特開２００８−１６７６２０号公報
【発明の概要】
【発明が解決しようとする課題】
【０００７】
特許文献２に記載された電源システムでは、全ての副蓄電装置が使用済になった場合には、積極的に全ての副蓄電装置をコンバータから電気的に切離すことによって、以降における電源システムの制御上の自由度が向上することが期待できる。【０００８】
しかしながら、最後の１個の副蓄電装置の使用時において、このような切離処理のタイミングについては適切に設定する必要がある。まず、最後に使用する副蓄電装置が電池性能に悪影響を生じるようなレベルまで過放電する前に、当該副蓄電装置の使用を停止すべく切離処理を実行する必要がある。その一方で、選択副蓄電装置の切離処理時には、電源システム全体で供給可能な電力が必然的に低下するため、車両運転性（ドライバビリティ）への影響がなるべく発生しないように切離処理のタイミングを考慮する必要がある。【０００９】
この発明は、このような問題点を解決するためになされたものであって、この発明の目的は、主蓄電装置および複数の副蓄電装置を備え、かつ複数の副蓄電装置によって電圧変換器（コンバータ）を共有する構成の電動車両の電源システムにおいて、最後の副蓄電装置の使用終了に伴う切離処理を、電池保護と車両運転性確保の両方を考慮した適切な機会に行なうことである。
【課題を解決するための手段】
【００１０】
この発明による電動車両の電源システムによれば、車両駆動パワーを発生するモータを搭載した電動車両の電源システムであって、主蓄電装置と、給電ラインと、第１の電圧変換器と、互いに並列に設けられた複数の副蓄電装置と、第２の電圧変換器と、接続部と、制御装置とを備える。給電ラインは、モータを駆動制御するインバータに給電を行なうように構成される。第１の電圧変換器は、給電ラインと主蓄電装置との間に設けられ、双方向の電圧変換を行なうように構成される。第２の電圧変換器は、複数の副蓄電装置と給電ラインとの間に設けられ、複数の副蓄電装置のうちの１つと給電ラインの間で双方向の電圧変換を行なうように構成される。接続部は、複数の副蓄電装置と第２の電圧変換器との間に設けられ、複数の副蓄電装置と第２の電圧変換器との間の接続および切離を制御するように構成される。制御装置は、第１のモードでは、複数の副蓄電装置のうちの、順次選択された選択副蓄電装置（ＢＢ）と第２の電圧変換器との間を接続するとともに残りの副蓄電装置と第２の電圧変換器との間を切離す一方で、第２のモードでは、複数の副蓄電装置の各々を第２の電圧変換器と切離すように接続部を制御する。そして、装置は、第１から第３の判定部を含む。第１の判定部は、第１のモードにおいて現在の選択蓄電装置と交換可能な副蓄電装置が残っていない場合に、選択副蓄電装置の残存容量が予め設定された第１の判定値よりも低い第１の状態であることを検知するように構成される。第２の判定部は、第１の判定部によって第１の状態が検知されたときに、電動車両の全体要求パワーへの対応性に関連する車両状態に応じて、第１のモードから第２のモードへの移行を指示する切離要求を発生するように構成される。第３の判定部は、第１のモードにおいて現在の選択蓄電装置の他に使用可能な副蓄電装置が残っていない場合に、選択副蓄電装置の残存容量が、第１の判定値より低い第２の判定値よりも低下した第２の状態が検知されたときに、車両状態にかかわらず切離要求を発生するように構成されたとを含む。【００１１】
あるいは、この発明による電動車両の電源システムの制御方法によれば、電動車両は、上記主蓄電装置と、上記給電ラインと、上記第１の電圧変換器と、上記複数の副蓄電装置と、上記第２の電圧変換器と、上記接続部と上記制御装置とを備える。そして、制御方法は、第１のモードにおいて現在の選択蓄電装置と交換可能な副蓄電装置が残っていない場合に、選択副蓄電装置の残存容量が予め設定された第１の判定値よりも低い第１の状態であることを検知するステップと、検知するステップによって第１の状態が検知されたときに、電動車両の全体要求パワーへの対応性に関連する車両状態に応じて、第１のモードから第２のモードへの移行を指示する切離要求を発生するステップと、第１のモードにおいて現在の選択蓄電装置の他に使用可能な副蓄電装置が残っていない場合に、選択副蓄電装置の残存容量が、第１の判定値より低い第２の判定値（ＴＨ２）よりも低下した第２の状態が検知されたときに、車両状態にかかわらず切離要求を発生するステップとを備える。【００１２】
上記電動車両の電源システムおよびその制御方法によれば、第１のモードにおける最後の選択副蓄電装置の残存容量（ＳＯＣ）による切離判定基準を２段階に設定して、ＳＯＣ低下時に車両状態に基づいて切離要求を発生するＳＯＣ領域（切離許可領域）と、さらにＳＯＣが低下したときに車両状態にかかわらず強制的に副蓄電装置の切離要求を発生するＳＯＣ領域（強制切離領域）とを設けることができる。したがって、強制切離領域までＳＯＣが低下したときには電池保護の観点から速やかに切離要求を発生するとともに、強制切離領域に至る手前の切離許可領域では、車両状態に基づき、車両運転性（ドライバビリティ）に影響を与えないような状態を見計らって切離要求を発生することができる。この結果、最後の副蓄電装置の使用終了に伴う切離処理を、電池保護と車両運転性確保の両方を考慮した適切な機会に行なうことができる。【００１３】
好ましくは、第２の判定部または切離要求を発生するステップは、第１の状態が検知されたときに、電動車両の全体要求パワーが判定値よりも低いと切離要求を発生する。さらに好ましくは、判定値は、主蓄電装置の出力電力上限値に基づいて可変に設定される。【００１４】
このようにすると、副蓄電装置の切離時には副蓄電装置からの電力が使用できない点を反映して、車両のトータル要求パワーが主蓄電装置の供給電力によってカバーできる範囲内であるときに限って、副蓄電装置の切離要求を発することができる。この結果、副蓄電装置の切離処理中に、トータル要求パワーへの対応が不十分となってドライバ要求への応答が遅れるような運転性低下を回避できる。【００１５】
また好ましくは、電動車両は、モータとは独立に車両駆動パワーを出力可能に構成された内燃機関と、電動車両の全体要求パワーを、モータの出力パワーと、内燃機関の出力パワーとに分配する走行制御部とをさらに備える。そして、第２の判定部または切離要求を発生するステップは、第１の状態が検知されたときに、内燃機関が作動中であると切離要求を発生する。【００１６】
このようにすると、モータおよび内燃機関が搭載されたハイブリッド車両において、内燃機関が既に始動されてトータル要求パワーの増加に即座に対応可能である車両状態では、その機会を捉えてＳＯＣ低下に伴う副蓄電装置の切離を行なうことができる。【００１７】
好ましくは、制御装置は、昇圧指示部と、電力制限部と、切離制御部と、昇圧停止許可部とを含む。昇圧指示部は、切離要求が発生されたときに、給電ラインの電圧を、少なくとも主蓄電装置および複数の副主蓄電装置の各出力電圧よりも高い第１の電圧とするように第１の電圧変換器に指示するように構成される。電力制限部は、給電ラインの電圧が第１の電圧に達した後に、選択副蓄電装置による入出力電力上限値を徐々に零まで減少させるように構成される。切離制御部は、電力制限部によって入出力電力上限値が零に設定されたときに、接続部に対して、選択副蓄電装置を第２の電圧変換器から切離すとともに、残りの副蓄電装置と第２の電圧変換器との間の切離状態を維持するように指示する。昇圧停止許可部は、切離制御部によって各副蓄電装置が第２の電圧変換器から切離された後に、給電ラインの電圧制御範囲の下限値を、第１のモードにおける当該下限値よりも低下させて主蓄電装置の出力電圧に設定するように構成される。あるいは、制御方法は、切離要求が発生されたときに、給電ラインの電圧を、少なくとも主蓄電装置および複数の副主蓄電装置の各出力電圧よりも高い第１の電圧とするように第１の電圧変換器に指示するステップと、給電ラインの電圧が第１の電圧に達した後に、選択副蓄電装置による入出力電力上限値を徐々に零まで減少させるステップと、減少させるステップによって入出力電力上限値が零に設定されたときに、接続部に対して、選択副蓄電装置を第２の電圧変換器から切離すとともに、残りの副蓄電装置と第２の電圧変換器との間の切離状態を維持するように指示するステップと、指示するステップによって各副蓄電装置が第２の電圧変換器から切離された後に、給電ラインの電圧制御範囲の下限値を、第１のモードにおける当該下限値よりも低下させて主蓄電装置の出力電圧に設定するステップとをさらに備える。【００１８】
このようにすると、副蓄電装置の切離の際には、主蓄電装置の出力電圧および新たに使用する副蓄電装置の出力電圧のいずれよりも高い第１の電圧まで給電ラインを昇圧した後に、新たに使用する副蓄電装置を第２の電力変換器と接続することができる。これにより、給電ラインを介して、副蓄電装置と主蓄電装置との間で短絡経路が形成されることを防止できる。さらに、接続部によって全ての副蓄電装置をコンバータから切離すことによって、第２のモードでは、主蓄電装置と副蓄電装置との間で短絡経路が形成されることなく給電ラインの電圧を下げることが可能となる。したがって、第２のモードでは、第１の電圧変換器でのスイッチング損失を低減することによって電動車両のエネルギ効率を高めることが可能となる。
【発明の効果】
【００１９】
この発明によれば、主蓄電装置および複数の副蓄電装置を備え、かつ複数の副蓄電装置によって電圧変換器（コンバータ）を共有する構成の電動車両の電源システムにおいて、最後の副蓄電装置の使用終了に伴う切離処理を、電池保護と車両運転性確保の両方を考慮した適切な機会に行なうことができる。
【図面の簡単な説明】
【００２０】
【図１】本発明の実施の形態に係る電源システムを搭載した電動車両の主たる構成を示す図である。
【図２】図１に示した各インバータの詳細な構成を示す回路図である。
【図３】図１に示した各コンバータの詳細な構成を示す回路図である。
【図４】電動車両の走行制御を説明する機能ブロック図である。
【図５】本発明の実施の形態による電動車両の電源システムにおける選択副蓄電装置の切離処理の概略的な処理手順を示すフローチャートである。
【図６】図５に示した副蓄電装置の切離判定処理の詳細を説明するフローチャートである。
【図７】ＳＯＣ領域と切離判定との関係を説明する概念図である。
【図８】図５に示した切離前昇圧処理の詳細を説明するフローチャートである。
【図９】図５に示した電力制限変更処理の詳細を説明するフローチャートである。
【図１０】図５に示した切離処理の詳細を説明するフローチャートである。
【図１１】図５に示した移行処理の詳細を説明するフローチャートである。
【図１２】切離処理の前後における給電ラインの電圧制御範囲を比較する概念図である。
【図１３】本発明の実施の形態による電動車両の電源システムにおける選択副蓄電装置の切離処理時の動作波形図である。
【図１４】本発明の実施の形態の電源システムの制御構成のうちの、選択副蓄電装置の切離処理のための機能部分を説明する機能ブロック図である。
【発明を実施するための形態】
【００２１】
以下に、本発明の実施の形態について図面を参照して詳細に説明する。なお図中の同一または相当部分には同一符号を付してその説明は原則的に繰返さないものとする。
【００２２】
図１は、本発明の実施の形態に係る電源システムを搭載した電動車両の主たる構成を示す図である。
【００２３】
図１を参照して、電動車両１は、蓄電装置であるバッテリＢＡ，ＢＢ１，ＢＢ２と、接続部３９Ａ，３９Ｂと、コンバータ１２Ａ，１２Ｂと、平滑用コンデンサＣ１，Ｃ２，ＣＨと、電圧センサ１０Ａ，１０Ｂ１，１０Ｂ２，１３，２１Ａ，２１Ｂと、温度センサ１１Ａ，１１Ｂ１，１１Ｂ２と、電流センサ９Ａ，９Ｂ１，９Ｂ２と、給電ラインＰＬ２と、インバータ１４，２２と、モータジェネレータＭＧ１，ＭＧ２と、車輪２と、動力分割機構３と、エンジン４と、制御装置３０とを含む。
【００２４】
本実施の形態に示される電動車両の電源システムは、主蓄電装置であるバッテリＢＡと、モータジェネレータＭＧ２を駆動するインバータ１４に給電を行なう給電ラインＰＬ２と、主蓄電装置（ＢＡ）と給電ラインＰＬ２との間に設けられて双方向の電圧変換を行なう電圧変換器であるコンバータ１２Ａと、互いに並列的に設けられた複数の副蓄電装置であるバッテリＢＢ１，ＢＢ２と、複数の副蓄電装置（ＢＢ１，ＢＢ２）と給電ラインＰＬ２との間設けられて双方向の電圧変換を行なう電圧変換器であるコンバータ１２Ｂとを備える。電圧変換器（１２Ｂ）は、複数の副蓄電装置（ＢＢ１，ＢＢ２）のうちのいずれか１つに選択的に接続されて、給電ラインＰＬ２との間で双方向の電圧変換を行なう。
【００２５】
副蓄電装置（ＢＢ１またはＢＢ２の一方）と主蓄電装置（ＢＡ）とは、たとえば、同時使用することにより給電ラインに接続される電気負荷（２２およびＭＧ２）に許容された最大パワーを出力可能であるように蓄電可能容量が設定される。これによりエンジンを使用しないＥＶ走行において最大パワーの走行が可能である。副蓄電装置の蓄電状態が悪化したら、副蓄電装置を交換してさらに走行させればよい。そして副蓄電装置の電力が消費されてしまったら、主蓄電装置に加えてエンジンを使用することによって、副蓄電装置を使用しないでも最大パワーの走行を可能とすることができる。
【００２６】
また、このような構成とすることにより、コンバータ１２Ｂを複数の副蓄電装置で兼用するので、コンバータの数を蓄電装置の数ほど増やさなくて良くなる。ＥＶ走行距離をさらに伸ばすには、バッテリＢＢ１，ＢＢ２に並列にさらにバッテリを追加すればよい。
【００２７】
好ましくは、この電動車両に搭載される主蓄電装置および副蓄電装置は、外部充電が可能である。このために、電動車両１は、さらに、たとえばＡＣ１００Ｖの商用電源である外部電源８に接続するためのバッテリ充電装置（充電用コンバータ）６を含む。バッテリ充電装置６は、交流を直流に変換するとともに電圧を調圧してバッテリの充電電力を供給する。なお、外部充電を可能とする構成としては、上記の他にも、モータジェネレータＭＧ１，ＭＧ２のステータコイルの中性点を交流電源に接続する方式やコンバータ１２Ａ，１２Ｂを合わせて交流直流変換装置として機能させる方式を用いても良い。
【００２８】
平滑用コンデンサＣ１は、電源ラインＰＬ１Ａと接地ラインＳＬ２との間に接続される。電圧センサ２１Ａは、平滑用コンデンサＣ１の両端間の電圧ＶＬＡを検出して制御装置３０に対して出力する。コンバータ１２Ａは、平滑用コンデンサＣ１の端子間電圧を昇圧して給電ラインＰＬ２へ供給することができる。
【００２９】
平滑用コンデンサＣ２は、電源ラインＰＬ１Ｂと接地ラインＳＬ２との間に接続される。電圧センサ２１Ｂは、平滑用コンデンサＣ２の両端間の電圧ＶＬＢを検出して制御装置３０に対して出力する。コンバータ１２Ｂは、平滑用コンデンサＣ２の端子間電圧を昇圧して給電ラインＰＬ２へ供給することができる。
【００３０】
平滑用コンデンサＣＨは、コンバータ１２Ａ，１２Ｂによって昇圧された電圧を平滑化する。電圧センサ１３は、平滑用コンデンサＣＨの端子間電圧ＶＨを検知して制御装置３０に出力する。
【００３１】
あるいは、逆方向に、コンバータ１２Ａ，１２Ｂは、平滑用コンデンサＣＨによって平滑化された端子間電圧ＶＨを降圧して、電源ラインＰＬ１Ａ，ＰＬ１Ｂへ供給することができる。
【００３２】
インバータ１４は、コンバータ１２Ｂおよび／または１２Ａから与えられる直流電圧を三相交流電圧に変換してモータジェネレータＭＧ１に出力する。インバータ２２は、コンバータ１２Ｂおよび／または１２Ａから与えられる直流電圧を三相交流電圧に変換してモータジェネレータＭＧ２に出力する。
【００３３】
動力分割機構３は、エンジン４およびモータジェネレータＭＧ１，ＭＧ２に結合されてこれらの間で動力を分配する機構である。たとえば動力分割機構としてはサンギヤ、プラネタリキャリヤ、リングギヤの３つの回転軸を有する遊星歯車機構を用いることができる。遊星歯車機構は、３つの回転軸のうち２つの回転軸の回転が定まれば、他の１つの回転軸の回転は強制的に定まる。この３つの回転軸がエンジン４、モータジェネレータＭＧ１，ＭＧ２の各回転軸にそれぞれ接続される。なおモータジェネレータＭＧ２の回転軸は、図示しない減速ギヤや差動ギヤによって車輪２に結合されている。また動力分割機構３の内部にモータジェネレータＭＧ２の回転軸に対する減速機をさらに組み込んでもよい。
【００３４】
接続部３９Ａは、バッテリＢＡの正極と電源ラインＰＬ１Ａとの間に接続されるシステムメインリレーＳＭＲ２と、システムメインリレーＳＭＲ２と並列接続される直列に接続されたシステムメインリレーＳＭＲ１および制限抵抗Ｒと、バッテリＢＡの負極（接地ラインＳＬ１）とノードＮ２との間に接続されるシステムメインリレーＳＭＲ３とを含む。
【００３５】
システムメインリレーＳＭＲ１〜ＳＭＲ３は、制御装置３０から与えられるリレー制御信号ＣＯＮＴ１〜ＣＯＮＴ３にそれぞれ応じて導通状態（オン）／非導通状態（オフ）が制御される。
【００３６】
電圧センサ１０Ａは、バッテリＢＡの端子間の電圧ＶＡを測定する。さらに、温度センサ１１Ａは、バッテリＢＡの温度ＴＡを測定し、電流センサ９Ａは、バッテリＢＡの入出力電流ＩＡを測定する。これらのセンサによる測定値は、制御装置３０へ出力される。
制御装置３０は、これらの測定値に基づいて、ＳＯＣ（State  of  Charge）に代表されるバッテリＢＡの状態を監視する。
【００３７】
接続部３９Ｂは、電源ラインＰＬ１Ｂおよび接地ラインＳＬ２とバッテリＢＢ１，ＢＢ２との間に設けられている。接続部３９Ｂは、バッテリＢＢ１の正極と電源ラインＰＬ１Ｂとの間に接続されるリレーＳＲ１と、バッテリＢＢ１の負極と接地ラインＳＬ２との間に接続されるリレーＳＲ１Ｇと、バッテリＢＢ２の正極と電源ラインＰＬ１Ｂとの間に接続されるリレーＳＲ２と、バッテリＢＢ２の負極と接地ラインＳＬ２との間に接続されるリレーＳＲ２Ｇとを含む。
【００３８】
リレーＳＲ１，ＳＲ２は、制御装置３０から与えられるリレー制御信号ＣＯＮＴ４，ＣＯＮＴ５にそれぞれ応じて導通状態（オン）／非導通状態（オフ）が制御される。リレーＳＲ１Ｇ，ＳＲ２Ｇは、制御装置３０から与えられるリレー制御信号ＣＯＮＴ６，ＣＯＮＴ７にそれぞれ応じて導通状態（オン）／非導通状態（オフ）が制御される。接地ラインＳＬ２は、後に説明するようにコンバータ１２Ａ，１２Ｂの中を通ってインバータ１４および２２側に延びている。
【００３９】
電圧センサ１０Ｂ１および１０Ｂ２は、バッテリＢＢ１およびＢＢ２の端子間の電圧ＶＢＢ１およびＶＢＢ２をそれぞれ測定する。さらに、温度センサ１１Ｂ１および１１Ｂ２は、バッテリＢＢ１およびＢＢ２の温度ＴＢＢ１およびＴＢＢ２をそれぞれ測定する。また電流センサ９Ｂ１および９Ｂ２は、バッテリＢＢ１およびＢＢ２の入出力電流ＩＢ１およびＩＢ２を測定する。これらのセンサによる測定値は、制御装置３０へ出力される。制御装置３０は、これらの測定値に基づいて、ＳＯＣ（State  of  Charge）に代表されるバッテリＢＢ１，ＢＢ２の状態を監視する。
【００４０】
なお、バッテリＢＡ，ＢＢ１，ＢＢ２としては、たとえば、鉛蓄電池、ニッケル水素電池、リチウムイオン電池等の二次電池や、電気二重層コンデンサ等の大容量キャパシタなどを用いることができる。
【００４１】
インバータ１４は、給電ラインＰＬ２および接地ラインＳＬ２に接続されている。インバータ１４は、コンバータ１２Ａおよび／または１２Ｂから昇圧された電圧を受けて、たとえばエンジン４を始動させるために、モータジェネレータＭＧ１を駆動する。また、インバータ１４は、エンジン４から伝達される動力によってモータジェネレータＭＧ１で発電された電力をコンバータ１２Ａおよび１２Ｂに戻す。このときコンバータ１２Ａおよび１２Ｂは、降圧コンバータとして動作するように制御装置３０によって制御される。
【００４２】
電流センサ２４は、モータジェネレータＭＧ１に流れる電流をモータ電流値ＭＣＲＴ１として検出し、モータ電流値ＭＣＲＴ１を制御装置３０へ出力する。
【００４３】
インバータ２２は、インバータ１４と並列的に、給電ラインＰＬ２と接地ラインＳＬ２に接続されている。インバータ２２は車輪２を駆動するモータジェネレータＭＧ２に対してコンバータ１２Ａおよび１２Ｂの出力する直流電圧を三相交流電圧に変換して出力する。またインバータ２２は、回生制動に伴い、モータジェネレータＭＧ２において発電された電力をコンバータ１２Ａおよび１２Ｂに戻す。このときコンバータ１２Ａおよび１２Ｂは、降圧コンバータとして動作するように制御装置３０によって制御される。
【００４４】
電流センサ２５は、モータジェネレータＭＧ２に流れる電流をモータ電流値ＭＣＲＴ２として検出し、モータ電流値ＭＣＲＴ２を制御装置３０へ出力する。
【００４５】
制御装置３０は、図示しないＣＰＵ（Central  Processing  Unit）およびメモリを内蔵した電子制御ユニット（ＥＣＵ）により構成され、当該メモリに記憶されたマップおよびプログラムに基づいて、各センサによる測定値を用いた演算処理を行なう。なお、制御装置３０の一部については、電子回路等のハードウェアにより所定の数値・論理演算処理を実行するように構成されてもよい。
【００４６】
具体的には、制御装置３０は、モータジェネレータＭＧ１，ＭＧ２の各トルク指令値および各回転速度、電圧ＶＢＡ，ＶＢＢ１，ＶＢＢ２，ＶＬＡ，ＶＬＢ，ＶＨの各値、モータ電流値ＭＣＲＴ１，ＭＣＲＴ２および起動信号ＩＧＯＮを受けてコンバータ１２Ａ，１２Ｂおよびインバータ１４，２２を制御する。
【００４７】
制御装置３０は、コンバータ１２Ａ，１２Ｂに対して、昇圧指示を行なう制御信号ＰＷＵＡ，ＰＷＵＢ、降圧指示を行なう制御信号ＰＷＤＡ，ＰＷＤＢ、電圧固定を指示する制御信号ＰＷＦＡ，ＰＷＦＢ、および動作禁止を指示するシャットダウン信号（図示せず）を出力する。
【００４８】
さらに、制御装置３０は、インバータ１４に対してコンバータ１２Ａ，１２Ｂの出力である直流電圧を、モータジェネレータＭＧ１を駆動するための交流電圧に変換する駆動指示を行なう制御信号ＰＷＭＩ１と、モータジェネレータＭＧ１で発電された交流電圧を直流電圧に変換してコンバータ１２Ａ，１２Ｂ側に戻す回生指示を行なう制御信号ＰＷＭＣ１とを出力する。
【００４９】
同様に制御装置３０は、インバータ２２に対してモータジェネレータＭＧ２を駆動するための交流電圧に直流電圧を変換する駆動指示を行なう制御信号ＰＷＭＩ２と、モータジェネレータＭＧ２で発電された交流電圧を直流電圧に変換してコンバータ１２Ａ，１２Ｂ側に戻す回生指示を行なう制御信号ＰＷＭＣ２とを出力する。
【００５０】
図２は、図１のインバータ１４および２２の詳細な構成を示す回路図である。
図２を参照して、インバータ１４は、Ｕ相アーム１５と、Ｖ相アーム１６と、Ｗ相アーム１７とを含む。Ｕ相アーム１５、Ｖ相アーム１６、およびＷ相アーム１７は、給電ラインＰＬ２と接地ラインＳＬ２との間に並列に接続される。
【００５１】
Ｕ相アーム１５は、給電ラインＰＬ２と接地ラインＳＬ２との間に直列接続されたＩＧＢＴ（Insulated  gate  Bipolar  Transistor）素子Ｑ３，Ｑ４と、ＩＧＢＴ素子Ｑ３，Ｑ４と、それぞれの逆並列ダイオードＤ３，Ｄ４とを含む。ダイオードＤ３のカソードはＩＧＢＴ素子Ｑ３のコレクタと接続され、ダイオードＤ３のアノードはＩＧＢＴ素子Ｑ３のエミッタと接続される。ダイオードＤ４のカソードはＩＧＢＴ素子Ｑ４のコレクタと接続され、ダイオードＤ４のアノードはＩＧＢＴ素子Ｑ４のエミッタと接続される。
【００５２】
Ｖ相アーム１６は、給電ラインＰＬ２と接地ラインＳＬ２との間に直列接続されたＩＧＢＴ素子Ｑ５，Ｑ６と、それぞれの逆並列ダイオードＤ５，Ｄ６とを含む。ＩＧＢＴ素子Ｑ５，Ｑ６および逆並列ダイオードＤ５，Ｄ６の接続は、Ｕ相アーム１５と同様である。
【００５３】
Ｗ相アーム１７は、給電ラインＰＬ２と接地ラインＳＬ２との間に直列接続されたＩＧＢＴ素子Ｑ７，Ｑ８と、それぞれの逆並列ダイオードＤ７，Ｄ８とを含む。ＩＧＢＴ素子Ｑ７，Ｑ８および逆並列ダイオードＤ７，Ｄ８の接続も、Ｕ相アーム１５と同様である。
【００５４】
なお、本実施の形態において、ＩＧＢＴ素子は、オンオフ制御可能な電力用半導体スイッチング素子の代表例として示される。すなわち、バイポーラトランジスタや電界効果トランジスタ等の電力用半導体スイッチング素子をＩＧＢＴ素子に代えて用いることも可能である。
【００５５】
各相アームの中間点は、モータジェネレータＭＧ１の各相コイルの各相端に接続されている。すなわち、モータジェネレータＭＧ１は、三相の永久磁石同期モータであり、Ｕ，Ｖ，Ｗ相の３つのコイルは各々一方端が中点に共に接続されている。そして、Ｕ相コイルの他方端がＩＧＢＴ素子Ｑ３，Ｑ４の接続ノードから引出されたラインＵＬに接続される。またＶ相コイルの他方端がＩＧＢＴ素子Ｑ５，Ｑ６の接続ノードから引出されたラインＶＬに接続される。またＷ相コイルの他方端がＩＧＢＴ素子Ｑ７，Ｑ８の接続ノードから引出されたラインＷＬに接続される。
【００５６】
なお、図１のインバータ２２についても、モータジェネレータＭＧ２に接続される点が異なるが、内部の回路構成についてはインバータ１４と同様であるので詳細な説明は繰返さない。また、図２には、インバータに制御信号ＰＷＭＩ，ＰＷＭＣが与えられることが記載されているが、記載が複雑になるのを避けるためであり、図１に示されるように、別々の制御信号ＰＷＭＩ１，ＰＷＭＣ１と制御信号ＰＷＭＩ２，ＰＷＭＣ２がそれぞれインバータ１４，２２に入力される。
【００５７】
図３は、図１のコンバータ１２Ａおよび１２Ｂの詳細な構成を示す回路図である。
図３を参照して、コンバータ１２Ａは、一方端が電源ラインＰＬ１Ａに接続されるリアクトルＬ１と、給電ラインＰＬ２と接地ラインＳＬ２との間に直列に接続されるＩＧＢＴ素子Ｑ１，Ｑ２と、それぞれの逆並列ダイオードＤ１，Ｄ２とを含む。
【００５８】
リアクトルＬ１の他方端はＩＧＢＴ素子Ｑ１のエミッタおよびＩＧＢＴ素子Ｑ２のコレクタに接続される。ダイオードＤ１のカソードはＩＧＢＴ素子Ｑ１のコレクタと接続され、ダイオードＤ１のアノードはＩＧＢＴ素子Ｑ１のエミッタと接続される。
【００５９】
なお、図１のコンバータ１２Ｂについても、電源ラインＰＬ１Ａに代えて電源ラインＰＬ１Ｂに接続される点がコンバータ１２Ａと異なるが、内部の回路構成についてはコンバータ１２Ａと同様であるので詳細な説明は繰返さない。また、図３には、コンバータに制御信号ＰＷＵ，ＰＷＤ，ＰＷＦが与えられることが記載されているが、記載が複雑になるのを避けるためであり、図１に示されるように、別々の制御信号ＰＷＵＡ，ＰＷＤＡ、ＰＷＦＡと制御信号ＰＷＵＢ，ＰＷＤＢ，ＰＷＦがそれぞれコンバータ１２Ａおよび１２Ｂに入力される。
【００６０】
コンバータ１２Ａ，１２Ｂは、制御信号ＰＷＵＡ，ＰＷＵＢに従うＩＧＢＴ素子Ｑ１，Ｑ２のスイッチング制御（デューティ制御）によって、直流電圧ＶＬＡ，ＶＬＢを昇圧して、給電ラインＰＬ２上に直流電圧ＶＨを発生することができる。また、コンバータ１２Ａ，１２Ｂは、制御信号ＰＷＤＡ，ＰＷＤＢに従うＩＧＢＴ素子Ｑ１，Ｑ２のスイッチング制御によって、給電ラインＰＬ２上の直流電圧ＶＨを降圧して、バッテリＢＡ，ＢＢへ供給することができる。このように、コンバータ１２Ａ，１２Ｂは、双方向に電力変換可能に構成されて、電圧変換比ＶＨ／ＶＬＡ（または、ＶＨ／ＶＬＢ）を制御することができる。また、コンバータ１２Ａ，１２Ｂは、制御信号ＰＷＦＡ，ＰＷＦＢに従って、スイッチング素子Ｑ１（上アーム素子）をオン固定することによって（下アーム素子であるスイッチング素子Ｑ２はオフ固定）、ＶＨ＝ＶＬＡ（または、ＶＨ＝ＶＬＢ）に固定することもできる。
なお、昇圧時および降圧時には、一定のスイッチング周波数に従って、ＩＧＢＴ素子Ｑ１，Ｑ２をスイッチング制御（オンオフ制御）することによる電力損失が発生する。これに対して、電圧固定時（上アーム素子オン固定）には、ＩＧＢＴ素子のオンオフによる電力損失が発生しないので、コンバータの効率、ひいては、電動車両１の燃費が相対的に向上する。
【００６１】
再び図１を参照して、電動車両１の電源システムでは、バッテリＢＡ（主蓄電装置）と、バッテリＢＢ１，ＢＢ２のうちの選択された副蓄電装置（以下、「選択副蓄電装置ＢＢ」とも称する）とを並列使用するバッテリ並列モード（第１のモード）が基本的に選択される。バッテリ並列モードでは、バッテリＢＡおよび選択副蓄電装置ＢＢと、モータジェネレータＭＧ１，ＭＧ２との間での電力の授受が行なわれる。
【００６２】
制御装置３０は、電圧センサ１０Ａ、温度センサ１１Ａおよび電流センサ９Ａの検出値に基づいて、主蓄電装置の残存容量を示すＳＯＣ（Ｍ）、充電電力の上限値を示す入力上限電力Ｗｉｎ（Ｍ）、および、放電電力の上限値を示す出力上限電力Ｗｏｕｔ（Ｍ）を設定する。
【００６３】
さらに、制御装置３０は、電圧センサ１０Ｂ１，１０Ｂ２、温度センサ１１Ｂ１，１１Ｂ２および電流センサ９Ｂ１，９Ｂ２の検出値に基づいて、選択副蓄電装置ＢＢについてのＳＯＣ（Ｂ）および入出力上限電力Ｗｉｎ（Ｓ），Ｗｏｕｔ（Ｓ）を設定する。
【００６４】
一般的に、ＳＯＣは、各バッテリの満充電状態に対する現在の充電量の割合（％）によって示される。また、Ｗｉｎ，Ｗｏｕｔは、所定時間（たとえば１０秒程度）当該電力を放電しても当該バッテリ（ＢＡ，ＢＢ１，ＢＢ２）が過充電または過放電とならないような電力の上限値として示される。
【００６５】
バッテリ並列モードでは、選択副蓄電装置ＢＢの電力がバッテリＢＡよりも優先的に使用される。そして、選択副蓄電装置ＢＢの蓄積電力を使い切ると、接続部３９Ｂ内でのリレーのオン／オフを切換えることによって、選択副蓄電装置ＢＢが切換えられる。そして、副蓄電装置（バッテリＢＢ１，ＢＢ２）のうちの最後の１個を選択副蓄電装置ＢＢとしている場合、すなわち、使用可能な副蓄電装置が残っていない場合には、現在の選択副蓄電装置ＢＢの電力を使い切ると、全ての副蓄電装置ＢＢ１，ＢＢ２が電源システムから電気的に切離して、主蓄電装置ＢＡのみを電源とする、バッテリ単独モード（第２のモード）が適用される。
【００６６】
すなわち、バッテリ単独モードでは、接続部３９Ｂ内の各リレーをオフすることによって、バッテリＢＢ１，ＢＢ２と給電ラインＰＬ２との間の通電経路が機械的に遮断される。この結果、バッテリＢＢ１，ＢＢ２と、バッテリＢＡとの間に、通電経路が形成される可能性がなくなる。
【００６７】
なお、図１および図３より、バッテリ並列モードでは、バッテリＢＡとバッテリＢＢ１，ＢＢ２との間に短絡経路が形成されないように、給電ラインＰＬ２の電圧ＶＨを、最低限、バッテリＢＡおよび選択副蓄電装置ＢＢの各出力電圧よりも高くする必要があることが理解される。
【００６８】
また、給電ラインＰＬ２の電圧ＶＨの下限値は、モータジェネレータＭＧ１，ＭＧ２の制御の観点からも制約を受ける。具体的には、モータ制御の観点からは、電圧ＶＨは、モータジェネレータＭＧ１，ＭＧ２の誘起電圧よりも高くすることが好ましい。このため、実際には、電圧ＶＨは、バッテリ制約からの下限値およびモータ制御からの下限値のいずれよりも高くなるように制御される。
【００６９】
このため、バッテリ並列モードでは、モータ制御面からは電圧ＶＨを低下可能であるケース、典型的にはコンバータ１２Ａ，１２Ｂでの昇圧が不要となるケースであっても、バッテリ制約からの下限値を満たすために、コンバータ１２Ａ，１２Ｂを昇圧動作させることが必要となる。
【００７０】
バッテリＢＢ１，ＢＢ２の両方、すなわち全ての副蓄電装置の電力を使い切った後でも、リレーによる接続を維持していれば、コンバータ１２ＢのダイオードＤ１および給電ラインＰＬ２を介して、バッテリＢＡとバッテリＢＢ１，ＢＢ２との間に短絡経路が形成される可能性がある。したがって、本実施の形態による電源システムでは、使用可能な副蓄電装置が無くなった場合には、バッテリ単独モードへ移行することによって、全ての副蓄電装置が電源システムから電気的に切離される。
【００７１】
これにより、バッテリ制約面からの昇圧を不要とすることができるので、モータ制御上、コンバータ１２Ａの昇圧が不要となった場合には、コンバータ１２Ａを電圧固定モード動作させることにより、コンバータ１２Ａでの電力損失を低減できる。
【００７２】
図４には、制御装置３０によって実現される電動車両１の走行制御、具体的には、エンジン４およびモータジェネレータＭＧ１，ＭＧ２の間でのパワー配分制御に係る制御構成を説明するための機能ブロック図が示される。なお、図４に示される各機能ブロックは、制御装置３０による予め記憶された所定プログラムの実行および／または制御装置３０内の電子回路（ハードウェア）による演算処理によって実現されるものとする。
【００７３】
図４を参照して、トータルパワー算出部２６０は、車速およびペダル操作（アクセルペダル）に基づいて、電動車両１全体でのトータル要求パワーＰｔｔｌを算出する。なお、トータル要求パワーＰｔｔｌには、車両状況に応じて、モータジェネレータＭＧ１によるバッテリ充電電力の発生のために要求されるパワー（エンジン出力）も含まれ得る。
【００７４】
走行制御部２５０には、主蓄電装置ＢＡの入出力上限電力Ｗｉｎ（Ｍ），Ｗｏｕｔ（Ｍ）および選択副蓄電装置ＢＢの入出力上限電力Ｗｉｎ（Ｓ），Ｗｏｕｔ（Ｓ）と、トータルパワー算出部２６０からのトータル要求パワーＰｔｔｌと、ブレーキペダル操作時の回生ブレーキ要求が入力される。走行制御部２５０は、モータジェネレータＭＧ１，ＭＧ２トータルでの入出力電力が、主蓄電装置ＢＡおよび選択副蓄電装置ＢＢトータルの充電制限（Ｗｉｎ（Ｍ）＋Ｗｉｎ（Ｓ））および放電制限（Ｗｏｕｔ（Ｍ）＋Ｗｏｕｔ（Ｓ））の範囲内となるように、モータ制御指令としてのトルク指令値Ｔｑｃｏｍ１およびＴｑｃｏｍ２を生成する。
【００７５】
さらに、トータル要求パワーＰｔｔｌが確保されるように、モータジェネレータＭＧ２による車両駆動パワーと、エンジン４による車両駆動パワーとが配分される。特に、外部充電されたバッテリ電力を最大限に利用してエンジン４の作動を抑制すること、あるいは、エンジン４による車両駆動パワーをエンジン４が高効率で作動可能な領域に対応して設定することによって、高燃費の車両走行制御が実現される。
【００７６】
インバータ制御部２７０は、トルク指令値Ｔｑｃｏｍ１およびモータジェネレータＭＧ１のモータ電流値ＭＣＲＴ１に基づいて、インバータ１４の制御信号ＰＷＭＩ１，ＰＷＭＣ１を生成する。同様に、インバータ制御部２８０は、トルク指令値Ｔｑｃｏｍ２およびモータジェネレータＭＧ２のモータ電流値ＭＣＲＴ２に基づいて、インバータ２２の制御信号ＰＷＭＩ２，ＰＷＭＣ２を生成する。また、走行制御部２５０は、設定されたエンジンによる車両駆動パワーの要求値に応じてエンジン制御指令を生成する。さらに、図示しない制御装置（エンジンＥＣＵ）によって、上記エンジン制御指令に従ってエンジン４の動作が制御される。
【００７７】
制御装置３０は、バッテリ電力を積極的に使用して車両走行を行なう走行モード（ＥＶモード）のときには、トータル要求パワーＰｔｔｌがバッテリ全体での出力上限電力Ｗｏｕｔ（Ｍ）＋Ｗｏｕｔ（Ｓ）以下であるときには、エンジン４を作動させることなく、モータジェネレータＭＧ２による車両駆動パワーのみによって走行する。一方で、トータル要求パワーＰｔｔｌがＷｏｕｔ（Ｍ）＋Ｗｏｕｔ（Ｓ）を超えたときには、エンジン４が始動される。
【００７８】
これに対して、当該ＥＶモードが選択されない走行モード（ＨＶモード）のときには、制御装置３０は、バッテリＳＯＣが所定目標値に維持されるように、エンジン４およびモータジェネレータＭＧ２での間での駆動力パワー配分を制御する。すなわち、ＥＶモードと比較して、エンジン４が作動されやすい走行制御がなされる。
【００７９】
ここで、上述のように、副蓄電装置の最後の１個を選択副蓄電装置ＢＢとしている場合、すなわち、使用可能な副蓄電装置が残っていない場合には、現在の副蓄電装置ＢＢのＳＯＣが低下すると、バッテリ単独モードへ移行する必要がある。以下では、バッテリ並列モードからバッテリ単独モードへの移行要否の判定を、切離判定とも称する。また、切離判定に従って生成される、バッテリ並列モードからバッテリ単独モードへの移行要求を、切離要求とも称する。
【００８０】
切離判定については、電池保護の観点から過放電となる前に確実に切離を実行する必要がある一方で、切離処理時に車両運転性（ドライバビリティ）への影響がなるべく発生しないように切離のタイミングを考慮する必要がある。
【００８１】
図５は、本発明の実施の形態による電動車両の電源システムにおける選択副蓄電装置の切離処理の概略的な処理手順を示すフローチャートである。また、図６，図８〜１１は、図５のステップＳ１００、Ｓ２００、Ｓ３００、Ｓ４００、およびＳ５００の詳細を説明するフローチャートである。
【００８２】
制御装置３０は、予め記憶した所定プログラムを所定周期で実行することによって、図５，６，８〜１１に示されるフローチャートに従う制御処理手順を所定周期で繰り返し実行することができる。これにより、本発明の実施の形態による電動車両の電源システムにおける副蓄電装置の切離処理が実現できる。
【００８３】
図５を参照して、制御装置３０は、ステップＳ１００では、選択副蓄電装置の切離判定処理を実行する。そして、選択副蓄電装置の切離要と判定されたときには、以下のステップＳ２００〜Ｓ５００が実行される。一方、ステップＳ１００で選択副蓄電装置の切離不要と判定されたときには、ステップＳ２００〜Ｓ５００は、実質的に非実行とされる。
【００８４】
制御装置３０は、ステップＳ２００では、切離前昇圧処理を実行し、ステップＳ３００では、副蓄電装置の切離期間中に電源システムに対して過大な充放電要求が発生しないように、電力制限変更処理を実行する。そして、制御装置３０は、ステップＳ４００により、選択副蓄電装置ＢＢを含む全ての副蓄電装置（バッテリＢＢ１，ＢＢ２）を電源システムから電気的に切離すための切離動作を実行し、その完了後、ステップＳ５００により、移行処理を実行して、バッテリＢＡのみを使用するバッテリ単独モードによる電力供給を開始する。
【００８５】
図６は、図５における選択副蓄電装置の切離判定処理（Ｓ１００）の詳細を説明するフローチャートである。
【００８６】
なお、以下に説明するように、切離処理の進行状況（ステータス）を示す変数ＩＤが導入される。ＩＤは、−１，０〜４のいずれかに設定される。ＩＤ＝０は、バッテリ並列モードが適用されており、切離要求が発生していない状態を示す。すなわち、ＩＤ＝０のときには、バッテリ単独モードへの移行要否、すなわち、選択副蓄電装置ＢＢの切離要否が所定周期で判定されることになる。
【００８７】
なお、電源システムの起動時に、機器故障やバッテリ状態によって、バッテリ単独モードの適用／非適用を判定してもよい。判定の結果、バッテリ単独モードを不適用とする場合には、電源システムが停止されるまでＩＤ＝−１に固定されるものとする。
【００８８】
図６を参照して、制御装置３０は、ステップＳ１０５によりＩＤ＝０かどうかを判定する。ＩＤ＝０のとき（Ｓ１０５のＹＥＳ判定時）には、制御装置３０は、実質的な切離判定処理を開始する。
【００８９】
まず制御装置３０は、ステップＳ１１０により、現在使用している選択副蓄電装置ＢＢの他に、交換して使用可能な副蓄電装置が残っているか否かを判定する。予備の副蓄電装置が残っている場合（Ｓ１１０のＹＥＳ判定時）には、現在の選択副蓄電装置ＢＢを使い切っても、バッテリ並列モードが継続されるので、以降の切離判定処理（Ｓ１２０以降）は実行されない。
【００９０】
一方、ステップＳ１１０がＮＯ判定、すなわち、使用可能な副蓄電装置が残っておらず、最後の１個を選択副蓄電装置ＢＢとしている場合には、制御装置３０は、切離要否判定処理をさらに進める。
【００９１】
制御装置３０は、ステップＳ１２０では、選択副蓄電装置ＢＢのＳＯＣが判定値ＴＨ１よりも低下しているどうかを判定する。そして、ＳＯＣ＜ＴＨ１のとき（Ｓ１２０のＹＥＳ判定時）には、制御装置３０は、ステップＳ１３０により、さらに、電動車両１が、副蓄電装置が切離可能な車両状態であるかどうかを判定する。
【００９２】
ステップＳ１３０による判定は、たとえば、車両のトータル要求パワーＰｔｔｌに応じて実行される。副蓄電装置の切離処理中には、副蓄電装置からの電力供給ができなくなるので、電源システム全体での出力可能電力が低下する。したがって、車両トータル要求パワーＰｔｔｌが大きいときに切離処理を行なうと、エンジン４を始動するために電力が必要となることにより、モータジェネレータＭＧ２による出力パワーが低下して、ドライバ要求に即座に応えられないおそれがある。すなわち、このような車両状態で副蓄電装置の切離処理を実行すると、車両運転性（ドライバビリティ）に影響を及ぼすおそれがある。
【００９３】
したがって、車両のトータル要求パワーが判定値よりも低いときに、副蓄電装置の切離処理を実行してもトータル要求パワーＰｔｔｌに対応可能である状態、すなわち、副蓄電装置の切離処理を実行可能な車両状態であると判定（ステップＳ１３０をＹＥＳ判定）することができる。なお、エンジン４の始動が必要であるか否かは、トータル要求パワーＰｔｔｌが主蓄電装置ＢＡの出力上限電力Ｗｏｕｔ（Ｍ）によって賄えるか否かによって決まるので、上記判定値については、主蓄電装置ＢＡの出力上限電力Ｗｏｕｔ（Ｍ）に応じて可変とすることが好ましい。
【００９４】
あるいは、同様の観点から、ドライバによるシフト選択が、パーキング（Ｐ）レンジや、ニュートラル（Ｎ）レンジであるときにも、トータル要求パワーＰｔｔｌが必然的に低くなるので、副蓄電装置の切離処理を実行してもトータル要求パワーＰｔｔｌに対応可能な車両状態であるとの判定することができる。
【００９５】
また、図１に記載したハイブリッド自動車では、エンジン４が起動されていれば、ドライバのアクセル操作等によってトータル要求パワーＰｔｔｌが増加しても、エンジン４の出力パワー増加によって速やかに対応することが可能である。したがって、エンジン４が作動中（始動完了）であるか否かに基づいて、ステップＳ１３０による判定を行なうこともできる。具体的には、エンジン４が作動中であれば、ステップＳ１３０をＹＥＳ判定とすることができる。
【００９６】
たとえば、上記のいずれかの車両状態に該当することによって、副蓄電装置の切離可能な車両状態であると判定されると（Ｓ１３０のＹＥＳ判定時）、制御装置３０は、ステップＳ１５０に処理を進めて、ＩＤ＝１に設定する。すなわち、ＩＤ＝１は、選択副蓄電装置ＢＢの切離要求が発生されることによって、切離処理が開始される状態を示している。このように、ステップＳ１３０では、副蓄電装置の切離処理を実行してもトータル要求パワーＰｔｔｌに対応可能である車両状態であるか否かの判断に基づいて、言い換えれば、トータル要求パワーＰｔｔｌへの対応性に関連する車両状態に応じて、切離要求を発生することができる。
【００９７】
一方、副蓄電装置の切離可能な車両状態ではないと判定されたとき（Ｓ１３０のＮＯ判定時）には、制御装置３０は、ステップＳ１４０に処理を進めて、現在の選択副蓄電装置ＢＢのＳＯＣが、下限判定値ＴＨ２よりも低いかどうかを判定する。この下限判定値ＴＨ２は、各副蓄電装置について、過放電による電池性能の低下が懸念されるレベル、たとえば、制御上のＳＯＣ管理下限値に対してマージンを持たせたレベルに設定されることが好ましい。判定値ＴＨ１は、この下限判定値ＴＨ２に対して適切なマージン（たとえば、ＳＯＣで数％程度）を持たせたレベルに設定される。
【００９８】
そして、選択副蓄電装置ＢＢのＳＯＣが、下限判定値ＴＨ２よりも低下しているとき（Ｓ１４０のＹＥＳ判定時）には、制御装置３０は、ステップＳ１５０によりＩＤ＝１に設定する。すなわちこの場合には、トータル要求パワーＰｔｔｌへの対応性に関連する車両状態の判定結果（Ｓ１３０のＹＥＳ／ＮＯ）にかかわらず、切離要求が発生されることとなる。
【００９９】
一方、ＳＯＣ≧ＴＨ１（Ｓ１２０のＮＯ判定時）、あるいは、ＴＨ２≦ＳＯＣ＜ＴＨ１であっても、副蓄電装置の切離処理が可能な車両状態ではないとき（Ｓ１４０のＹＥＳ判定時）には、制御装置３０は、ステップＳ１６０によりＩＤ＝０に維持する。すなわち、選択副蓄電装置ＢＢの切離要求は非発生とされて、次の制御周期で、再びステップＳ１００の切離判定処理が実行される。
【０１００】
なお、一旦ＩＤ≧１となって切離処理が開始されたとき、あるいは、バッテリ単独モードを不適用とするようにＩＤ＝−１に設定されているときには（Ｓ１０５のＮＯ判定時）、ステップＳ１１０〜Ｓ１６０の処理はスキップされて、切離判定処理は実質的には実行されない。
【０１０１】
図７には、選択副蓄電装置ＢＢのＳＯＣと切離判定との関係についての概念図が示される。
【０１０２】
図７を参照して、選択副蓄電装置ＢＢのＳＯＣは、使用に伴って低下し、時刻ｔ１で判定値ＴＨ１より低くなり、さらに後の時刻ｔ２で下限判定値ＴＨ２よりも低くなるように推移する。
【０１０３】
時刻ｔ１までの、ＳＯＣ≧ＴＨ１の期間では、切離要求は発生しない。一方で、時刻ｔ１〜ｔ２の間の、ＴＨ２≦ＳＯＣ＜ＴＨ１の領域は「切離許可領域」であり、図６のステップＳ１３０での判定結果に従って、車両状態が許せば切離要求が発生される。さらに、時刻ｔ２以降の、ＳＯＣ＜ＴＨ２の領域は「強制切離領域」であり、電池保護の観点から、車両状態（Ｓ１３０の判定結果）にかかわらず、切離要求が発生される。
【０１０４】
このように、本発明の実施の形態による電動車両の電源システムでは、複数の副蓄電装置の切離判定において、選択副蓄電装置ＢＢのＳＯＣに基づく切離判定基準を２段階に設定する。
【０１０５】
図８は、図５に示した切離前昇圧処理（Ｓ２００）の詳細を説明するフローチャートである。
【０１０６】
図８を参照して、制御装置３０は、切離前昇圧処理では、ステップＳ２０５により、ＩＤ＝１であるかどうかを確認する。そして、ＩＤ＝１であり、選択副蓄電装置ＢＢの切離要求がなされて、切離処理が開始されたとき（Ｓ２０５のＹＥＳ判定時）には、制御装置３０は、ステップＳ２１０により、給電ラインＰＬ２の電圧ＶＨを所定電圧Ｖ１まで昇圧するように、コンバータ１２Ａに対する昇圧指令を発生する。この昇圧指令に応答して給電ラインＰＬ２の電圧指令値ＶＨｒｅｆ＝Ｖ１に設定され、この電圧指令値が実現されるようにコンバータ１２Ａの制御信号ＰＷＵＡが生成される。
【０１０７】
ここで所定電圧Ｖ１は、バッテリＢＡ，ＢＢ１，ＢＢ２の出力電圧のいずれよりも高い電圧に設定される。たとえば、所定電圧Ｖ１を、コンバータ１２Ａによる昇圧可能な制御上限電圧ＶＨｍａｘとすることによって、昇圧指令時の電圧ＶＨを、バッテリＢＡ，ＢＢ１，ＢＢ２の出力電圧のいずれよりも、確実に高くすることができる。あるいは、コンバータ１２Ａでの損失を低減する観点から、その時点でのバッテリＢＡ，ＢＢ１，ＢＢ２の出力電圧に応じて、これらの最高電圧に対してマージンを持たせるように所定電圧Ｖ１を都度決定してもよい。
【０１０８】
ステップＳ２１０により昇圧指令が発生されると、制御装置３０は、ステップＳ２２０により、電圧センサ１３の検出値に基づき電圧ＶＨが所定電圧Ｖ１に到達したかどうかを判定する。たとえば、所定時間継続してＶＨ≧Ｖ１となったときに、ステップＳ２２０はＹＥＳ判定とされる。
【０１０９】
電圧ＶＨが所定電圧Ｖ１に到達すると（Ｓ２２０のＹＥＳ判定時）、制御装置３０は、ステップＳ２３０により、ＩＤを１から２に進める。一方で、電圧ＶＨがＶ１に到達するまでの間（Ｓ２２０のＮＯ判定時）は、ＩＤ＝１に維持される。すなわち、ＩＤ＝２は、切離前昇圧処理が終了しており、切離処理をさらに進めることが可能な状態を示している。また、ＩＤ≠１のとき（Ｓ２０５のＮＯ判定時）には、以降のステップＳ２１０〜Ｓ２３０の処理はスキップされる。
【０１１０】
このように切離前昇圧処理（ステップＳ２００）が終了すると、制御装置３０は、図９に示すような電力制限変更処理を実行する。
【０１１１】
図９は、図５に示した電力制限変更処理（Ｓ３００）の詳細を説明するフローチャートである。
【０１１２】
図９を参照して、制御装置３０は、電力制限変更処理においては、まずステップＳ３０５により、ＩＤ＝２であるかどうかを判定する。ＩＤ＝２でないとき（Ｓ３０５のＮＯ判定時）には、以降のステップＳ３２０〜３４０の処理はスキップされる。
【０１１３】
ＩＤ＝２のとき（Ｓ３０５のＹＥＳ判定時）には、制御装置３０は、ステップＳ３２０により、選択副蓄電装置ＢＢの入出力上限電力Ｗｉｎ（Ｓ），Ｗｏｕｔ（Ｓ）の絶対値を徐々に低下させる。たとえば、所定の一定レートに従って、Ｗｏｕｔ（Ｓ），Ｗｉｎ（Ｓ）が０に向けて徐々に低下される。
【０１１４】
制御装置３０は、ステップＳ３３０により、Ｗｏｕｔ（Ｓ），Ｗｉｎ（Ｓ）が０に達したかどうかを判定する。Ｗｏｕｔ（Ｓ）＝Ｗｉｎ（Ｓ）＝０となるまでの間、ステップＳ３２０が繰返し実行されて、Ｗｏｕｔ（Ｓ）およびＷｉｎ（Ｓ）は、継続的に低下する。
【０１１５】
そして、Ｗｏｕｔ（Ｓ）およびＷｉｎ（Ｓ）が０に達すると（Ｓ３３０のＹＥＳ判定時）、制御装置３０は、ステップＳ３４０により、ＩＤを２から３に進める。すなわち、ＩＤ＝３は、切離前昇圧処理および電力制限変更処理が終了しており、副蓄電装置ＢＢ１，ＢＢ２およびコンバータ１２Ｂの間の実際の切離処理が開始可能な状態を示している。
【０１１６】
制御装置３０は、図８に示した電力制限変更処理が終了すると、ステップＳ４００による副蓄電装置の切離処理を実行する。
【０１１７】
図１０は、図５に示した副蓄電装置の切離動作（Ｓ４００）の詳細を説明するフローチャートである。
【０１１８】
図１０を参照して、制御装置３０は、副蓄電装置の切離動作においては、まずステップＳ４０５によってＩＤ＝３であるかどうかを判定する。そしてＩＤ≠３のとき（Ｓ４０５のＮＯ判定時）には、以降のステップはスキップされる。
【０１１９】
ＩＤ＝３のとき（Ｓ４０５のＹＥＳ判定時）には、制御装置３０は、ステップＳ４１０により、副蓄電装置の切離の準備として、コンバータ１２Ｂを停止させる。すなわち、コンバータ１２Ｂでは、シャットダウン指令に応答して、ＩＧＢＴ素子Ｑ１，Ｑ２が強制的にオフされる。その上で、制御装置３０は、ステップＳ４２０により、選択副蓄電装置ＢＢを含む全ての副蓄電装置（バッテリＢ１，Ｂ２）を電源システムから切離すためのリレー制御信号を発生する。すなわち、リレーＳＲ１，ＳＲ１Ｇ，ＳＲ２，ＳＲ２Ｇの各々をオフするようにリレー制御信号ＣＯＮＴ３〜ＣＯＮＴ７が生成される。
【０１２０】
さらに、制御装置３０は、ステップＳ４３０により、ステップＳ４２０によって指示されたリレーオフが完了したかどうかを判定する。そして、リレーオフによる切離が完了すると（Ｓ４３０のＹＥＳ判定時）、制御装置３０は、ステップＳ４５０により、ＩＤを３から４に進める。すなわち、ＩＤ＝４は、全ての副蓄電装置の切離が完了した状態を示している。
【０１２１】
制御装置３０は、ステップＳ４００による切離動作が終了すると、ステップＳ５００による移行処理を実行する。
【０１２２】
図１１は、図５に示した移行処理（Ｓ５００）の詳細を説明するフローチャートである。
【０１２３】
図１１を参照して、制御装置３０は、移行処理においては、まずステップＳ５０５によってＩＤ＝４であるかどうかを判定する。そしてＩＤ≠４のとき（Ｓ５０５のＮＯ判定時）には、以降のステップはスキップされる。
【０１２４】
ＩＤ＝４のとき（Ｓ５０５のＹＥＳ判定時）には、制御装置３０は、ステップＳ５５０に処理を進めて、ステップＳ２１０（図８）で発生した昇圧指令をオフする。これにより、給電ラインＰＬ２の電圧指令値は、当該昇圧指令の生成前の値、具体的には、モータジェネレータＭＧ１，ＭＧ２の状態に応じて設定される値となる。
【０１２５】
ここで、図１２を用いて、切離処理前後における給電ラインＰＬ２の電圧制御範囲を比較する。
【０１２６】
図１２を参照して、切離処理前では、バッテリＢＡおよび選択副蓄電装置ＢＢが給電ラインＰＬ２に対して電気的に接続されているため、給電ラインＰＬ２の電圧ＶＨを、バッテリＢＡおよび選択副蓄電装置ＢＢの出力電圧のいずれよりも高くする必要がある。すなわち、電圧ＶＨの制御範囲の下限値ＶＨＢは、少なくとも、バッテリＢＡおよび選択副蓄電装置ＢＢの出力電圧のうちの最高電圧よりも高い電圧、好ましくは、バッテリＢＡ，ＢＢ１，ＢＢ２の出力電圧のいずれよりも高い電圧に設定される。
【０１２７】
一方で、切離処理後には、全ての副蓄電装置が電源システムから切離されているので、給電ラインＰＬ２の電圧がバッテリＢＢ１，ＢＢ２の出力電圧より低くなっても、バッテリ間に短絡経路が形成されることがない。したがって、切離処理後には、コンバータ１２Ａを電圧固定モードで動作させて、ＶＨ＝ＶＢＡとすることが可能となる。
【０１２８】
再び図１１を参照して、制御装置３０は、さらにステップＳ５６０により、上述したバッテリ制約面からの昇圧要求を停止する。すなわち、バッテリ制約面からは、コンバータ１２Ａでの昇圧停止が許可されることとなる。この結果、モータ制御上、コンバータ１２Ａの昇圧が不要となった場合には、コンバータ１２Ａを電圧固定モードで動作させることによって電力損失を低減できる。
【０１２９】
図１３には、図５〜図１１で説明した本発明の実施の形態による電動車両の電源システムにおける選択副蓄電装置の切離処理における動作波形が示される。
【０１３０】
図１２を参照して、ＩＤ＝０である時刻ｔ１までの期間には、最後の副蓄電装置である現在の選択副蓄電装置（たとえば、バッテリＢＢ２）のＳＯＣに基づく、切離判定処理が所定周期で実行されている。なお、電源システムの起動時の判定によりＩＤ＝−１に設定された場合には、上述のように、実質的には切離判定が起動されることはなく、バッテリ並列モードが維持される。すなわち、副蓄電装置の切離処理が実行されることはない。
【０１３１】
時刻ｔ１において、バッテリＢＢ２のＳＯＣ低下に応答して、切離判定処理（ステップＳ１００）によって選択副蓄電装置ＢＢの切離要求が発せられるとともに、ＩＤ＝１に設定されることによって切離処理が開始される。
【０１３２】
これにより、切離前昇圧処理（ステップＳ２００）が実行されて、コンバータ１２Ａによって給電ラインＰＬ２の電圧ＶＨが所定電圧Ｖ１に向けて上昇させられる。給電ラインＰＬ２の昇圧処理が時刻ｔ２で完了すると、ＩＤは１から２に変更される。
【０１３３】
ＩＤ＝２となると、電力制限変更処理（Ｓ３００）が実行されて、選択副蓄電装置ＢＢの入出力上限電力Ｗｉｎ（Ｓ），Ｗｏｕｔ（Ｓ）が０に向けて一定レートで徐々に低下される。さらに、コンバータ１２Ｂは、現在の選択副蓄電装置（バッテリＢＢ２）の充放電を停止するように制御される。あるいは、コンバータ１２Ｂは、時刻ｔ１からシャットダウンしてもよい。
【０１３４】
時刻ｔ３において、選択副蓄電装置ＢＢの入出力上限電力Ｗｉｎ（Ｓ），Ｗｏｕｔ（Ｓ）が０まで絞られると、ＩＤが２から３に変更される。そしてＩＤ＝３になると、副蓄電装置の切離が開始される。すなわち、コンバータ１２Ａがシャットダウンされた状態で、オン状態であったリレーＳＲ２，ＳＲ２Ｇがオフされるとともに、リレーＳＲ１，ＳＲ１Ｇはオフ状態のまま維持される。この結果、バッテリＢＢ１，ＢＢ２の両方、すなわち全ての副蓄電装置が、電源システムから電気的に切離される。この切離動作が完了することにより、時刻ｔ４においてＩＤが３から４に変更される。
【０１３５】
ＩＤ＝４になると、切離処理に伴う給電ラインＰＬ２の昇圧処理も停止される（時刻ｔ５）。これにより、電圧ＶＨが所定電圧Ｖ１から低下する。そして、バッテリ単独モードが適用されて、バッテリＢＡ（主蓄電装置）のみを用いた電力供給および電力回収が開始される。
【０１３６】
なお、ＩＤ＝４以降では、上記のように、バッテリ制約面からの昇圧が不要となるので、コンバータ１２Ａでの昇圧停止が許可されている。したがって、時刻ｔ６において、給電ラインＰＬ２の電圧ＶＨがバッテリＢＡの出力電圧となってもモータジェネレータＭＧ１，ＭＧ２を制御可能な状態となると、コンバータ１２Ａは電圧固定モードで動作する。電圧固定モードでは、上アーム素子および下アーム素子のオンオフが固定されるので、コンバータ１２Ａの電力損失を低減できる。
【０１３７】
次に、図１３を用いて、本発明の実施の形態の電源システムの制御構成のうちの一部である、図５〜図１２で説明した選択副蓄電装置の切離処理のための機能部分の構成を説明する。図１３に示された各機能ブロックは、制御装置３０による、所定プログラムの実行によるソフトウェア処理、あるいは、専用の電子回路（ハードウェア処理）によって実現される。
【０１３８】
図１３を参照して、切離判定部１００は、切離許可領域のＳＯＣ判定部１０１と、強制切離領域のＳＯＣ判定部１０３と、車両状態判定部１０２とを含む。切離判定部１００は、ＩＤ＝０のときに所定周期で作動する一方で、ＩＤ≠０のときには作動しない。
【０１３９】
ＳＯＣ判定部１０１は、現在の選択副蓄電装置ＢＢのＳＯＣ（ＳＯＣ（ＢＢ１）またはＳＯＣ（ＢＢ２））と、判定値ＴＨ１との比較により、ＳＯＣ≧ＴＨ１のときは、出力信号をローレベル（Ｌレベル）に設定する一方で、ＳＯＣ＜ＴＨ１のときには出力信号をハイレベル（Ｈレベル）に設定する。同様に、ＳＯＣ判定部１０３は、選択副蓄電装置ＢＢのＳＯＣと、下限判定値ＴＨ２との比較により、ＳＯＣ≧ＴＨ２のときは、出力信号をローレベル（Ｌレベル）に設定する一方で、ＳＯＣ＜ＴＨ２のときには出力信号をハイレベル（Ｈレベル）に設定する。
【０１４０】
車両状態判定部１０２は、図６のステップＳ１３０での車両状態確認のための判定を実行し、ステップＳ１３０がＹＥＳ判定となる車両状態のときに、出力信号をＨレベルに設定する一方で、ＮＯ判定時には出力信号をＬレベルに設定する。
【０１４１】
論理ゲート１０６は、ＳＯＣ判定部１０１の出力信号および車両状態判定部１０２の出力信号のＡＮＤ論理演算結果を出力する。すなわち、ＳＯＣ判定部１０１および車両状態判定部１０２の出力信号の両方がＨレベルとなったときに、論理ゲート１０６はＨレベルの信号を出力し、それ以外のときにはＬレベルの信号を出力する。
【０１４２】
論理ゲート１０７は、論理ゲート１０６の出力信号と、ＳＯＣ判定部１０３の出力信号とのＯＲ演算結果を出力する。したがって、ＳＯＣ＜ＴＨ２のとき（ＳＯＣ判定部１０３の出力信号がＨレベル）、または、ＳＯＣ＜ＴＨ１であり、かつ、副蓄電装置の切離が可能な車両状態であるとき（論理ゲート１０６の出力信号がＨレベル）に、論理ゲート１０７の出力信号がＨレベルとなって、ＩＤ＝１に設定されることになる。また、上記以外のケースでは、ＩＤ＝０に維持される。
【０１４３】
このように、図１３に示した切離判定部１００によっても、図６に示したフローチャートと同様の切離要求の発生（ＩＤ：０→１）を実行できる。
【０１４４】
なお、ＳＯＣ判定部１０１の機能は「第１の判定部」に対応し、車両状態判定部１０２および論理ゲート１０６，１０７の機能は「第２の判定部」に対応し、ＳＯＣ判定部１０３および論理ゲート１０７の機能は「第３の判定部」に対応する。
【０１４５】
昇圧指示部１１０は、選択副蓄電装置の切離要求が発生されてＩＤ＝１になると、コンバータ１２Ａを制御するコンバータ制御部２００に対して、昇圧指令信号ＣＭＢＴを出力する。
【０１４６】
コンバータ制御部２００は、電圧ＶＨ，ＶＬＡおよび電圧指令値ＶＨｒｅｆに基づいて、給電ラインＰＬ２の電圧ＶＨが電圧指令値ＶＨｒｅｆとなるように、コンバータ１２Ａの制御信号ＰＷＵＡ，ＰＷＤＡ，ＰＤＦＡを生成する。
【０１４７】
さらに、コンバータ制御部２００は、昇圧指示部１１０から昇圧指令信号ＣＭＢＴが生成された場合には、電圧指令値ＶＨｒｅｆ＝Ｖ１に設定して制御信号ＰＷＵＡを生成する。そして、コンバータ制御部２００は、電圧センサ１３によって検出される電圧ＶＨが所定電圧Ｖ１に達した状態が所定時間以上継続すると、昇圧完了を示すフラグＦＢＴをオンする。
【０１４８】
昇圧指示部１１０は、フラグＦＢＴがオンされると、ＩＤ＝２に変更する。そして、後述する切離制御部１４０による全リレーのオフが完了することによってＩＤ＝４に設定されるまで、昇圧指令信号ＣＭＢＴの出力を継続する。すなわち、昇圧指示部１１０の機能は、図５のステップＳ２００および図１１のステップＳ５５０に対応する。
【０１４９】
電力制限部１２０は、選択副蓄電装置ＢＢの入出力上限電力Ｗｉｎ（Ｓ），Ｗｏｕｔ（Ｓ）を設定する。通常時には、入出力上限電力Ｗｉｎ（Ｓ），Ｗｏｕｔ（Ｓ）は、選択副蓄電装置ＢＢとされたバッテリのＳＯＣ（ＳＯＣ（ＢＢ１）またはＳＯＣ（ＢＢ２））、電池温度（ＴＢＢ１またはＴＢＢ２）、出力電圧（ＶＢ１またはＶＢ２）に基づいて設定される。
【０１５０】
これに対して、選択副蓄電装置の切離処理時には、電力制限部１２０は、ＩＤ＝２となると、入出力上限電力Ｗｉｎ（Ｓ），Ｗｏｕｔ（Ｓ）を、一定レートで徐々に０に向けて低下させるとともに、Ｗｉｎ（Ｓ），Ｗｏｕｔ（Ｓ）が０に達すると、ＩＤを２から３に変化させる。
【０１５１】
すなわち、電力制限部１２０によって、図９のステップＳ３２０，Ｓ３３０の処理および、本発明の「電力制限部」の機能が実現される。
【０１５２】
電力制限部１３０は、主蓄電装置ＢＡの入出力上限電力Ｗｉｎ（Ｍ）およびＷｏｕｔ（Ｍ）を設定する。入出力上限電力Ｗｉｎ（Ｍ），Ｗｏｕｔ（Ｍ）は、主蓄電装置ＢＡのＳＯＣ（ＢＡ）、電池温度ＴＡ、出力電圧ＶＡに基づいて設定される。なお、切離処理中においても、入出力上限電力Ｗｉｎ（Ｍ）およびＷｏｕｔ（Ｍ）は、それ以外の期間と同様に設定される。
【０１５３】
切離制御部１４０は、電力制限部１２０によってＩＤ＝３に設定されると、コンバータ１２Ｂのシャットダウン指令を生成する。さらに、切離制御部１４０は、リレーＳＲ１，ＳＲ１Ｇ，ＳＲ２，ＳＲ２Ｇの全てをオフするように、リレー制御信号ＣＯＮＴ４〜ＣＯＮＴ７を生成する。そして、この切離動作（全リレーオフ）が完了すると、ＩＤを３から４に変化させる。切離制御部１４０は、図５のステップＳ４００（図１０のＳ４０５〜Ｓ４３０）の処理に対応する。ＩＤ＝４に設定されることにより、バッテリ単独モードへの移行が完了する。
【０１５４】
昇圧停止許可部１６０は、切離制御部１４０によってＩＤ＝４に設定されると、コンバータ１２Ａに対する昇圧停止許可を発生する。これにより、電圧指令値ＶＨｒｅｆは、バッテリ制約面から上昇されることはなく、モータジェネレータＭＧ１，ＭＧ２の状態のみを反映して設定されることになる。この結果、図１２に示したように、コンバータ１２Ａを電力損失が低い電圧固定モードで動作させることが可能となる。
【０１５５】
以上説明したように、本実施の形態に従う電動車両の電源システムによれば、バッテリ並列モードで最後に使用される副蓄電装置の残存容量（ＳＯＣ）に基づく切離判定基準を２段階に設定する。これにより、強制切離領域（ＳＯＣ＜ＴＨ２）では、電池保護の観点から車両状態にかかわらず強制的に副蓄電装置の切離要求を発生する一方で、その手前の切離許可領域（ＴＨ１≦ＳＯＣ＜ＴＨ２）では、車両運転性（ドライバビリティ）に影響を与えないような状態を見計らって切離処理を行なうことができる。
【０１５６】
この結果、複数の副蓄電装置を１つの電圧変換器（コンバータ）によって共有する構成の電源システムにおいて、最後の選択副蓄電装置を使用する際のバッテリ単独モードへの移行判定（切離判定）を、電池保護と車両運転性確保との両方を考慮して適切に行なうことが可能となる。
【０１５７】
さらに、使用する副蓄電装置の切離処理時において、給電ラインＰＬ２の電圧を上昇させた後に副蓄電装置の切離を実行するので、切離処理時に蓄電装置（バッテリ）間の短絡経路がシステム内に形成されることを確実に防止できる。また、選択副蓄電装置の切離処理中には、選択副蓄電装置ＢＢの入出力上限電力Ｗｉｎ（Ｓ），Ｗｏｕｔ（Ｓ）を徐々に低下させた後に実際の切離動作を行なうので、電源システムに対して過度の充放電が要求されることを回避できる。
【０１５８】
また、バッテリ単独モードへの移行により、コンバータ１２Ａを電圧固定モードで動作させることが可能となるので、電力損失の低減ひいては、電動車両１の燃費向上を図ることができる。
【０１５９】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１６０】
１  電動車両、２  車輪、３  動力分割機構、４  エンジン、６  バッテリ充電用コンバータ（外部充電）、８  外部電源、９Ａ，９Ｂ１，９Ｂ２  電流センサ、１０Ａ，１０Ｂ１，１０Ｂ２，１３，２１Ａ，２１Ｂ  電圧センサ、１１Ａ，１１Ｂ１，１１Ｂ２  温度センサ、１２Ａ  コンバータ（主蓄電装置専用）、１２Ｂ  コンバータ（副蓄電装置共用）、１４，２２  インバータ、１５〜１７  各相アーム（Ｕ，Ｖ，Ｗ）、２４，２５  電流センサ、３０  制御装置、３９Ａ  接続部（主蓄電装置）、３９Ｂ  接続部（副蓄電装置）、１００  切離判定部、１０１  ＳＯＣ判定部（切離許可領域）、１０２  車両状態判定部、１０３  ＳＯＣ判定部（強制切離領域）、１０６，１０７  論理ゲート、１１０  昇圧指示部、１２０  電力制限部（副蓄電装置）、１３０  電力制限部（主蓄電装置）、１４０  切離制御部、１６０  昇圧停止許可部、２００  コンバータ制御部、２５０  走行制御部、２６０  トータルパワー算出部、２７０，２８０  インバータ制御部、ＢＡ  バッテリ（主蓄電装置）、ＢＢ  選択副蓄電装置、ＢＢ１，ＢＢ２  バッテリ（副蓄電装置）、Ｃ１，Ｃ２，ＣＨ  平滑用コンデンサ、ＣＭＢＴ  昇圧指令信号、ＣＯＮＴ１〜ＣＯＮＴ７  リレー制御信号、Ｄ１〜Ｄ８  ダイオード、ＦＢＴ  フラグ（昇圧完了）、ＩＡ，ＩＢ１，ＩＢ２  入出力電流（バッテリ）、ＩＤ  変数（切離処理ステータス）、ＩＧＯＮ  起動信号、Ｌ１  リアクトル、ＭＣＲＴ１，ＭＣＲＴ２  モータ電流値、ＭＧ１，ＭＧ２  モータジェネレータ、ＰＬ１Ａ，ＰＬ１Ｂ  電源ライン、ＰＬ２  給電ライン、Ｐｔｔｌ  トータル要求パワー、ＰＷＭＩ，ＰＷＭＩ１，ＰＷＭＩ２，ＰＷＭＣ，ＰＷＭＣ１，ＰＷＭＣ２  制御信号（インバータ）、ＰＷＦ，ＰＷＦＡ，ＰＷＦＢ，ＰＷＵ，ＰＷＵＡ，ＰＷＤＡ，ＰＷＤ，ＰＷＤＡ，ＰＷＤＢ  制御信号（コンバータ）、Ｑ１〜Ｑ８  ＩＧＢＴ素子、Ｒ  制限抵抗、ＳＬ１，ＳＬ２  接地ライン、ＳＭＲ１〜ＳＭＲ３  システムメインリレー、ＳＲ１，ＳＲ１Ｇ，ＳＲ２，ＳＲ２Ｇ  リレー、ＴＡ、ＴＢＢ１，ＴＢＢ２  電池温度（バッテリ）、ＴＨ１  判定値（ＳＯＣ）、ＴＨ２  下限判定値（ＳＯＣ）、Ｔｑｃｏｍ１，Ｔｑｃｏｍ２  トルク指令値、ＵＬ、ＶＬ，ＷＬ  ライン（三相）、Ｖ１  所定電圧、ＶＢＡ，ＶＢＢ１，ＶＢＢ２  電圧（バッテリ出力電圧）、ＶＬＡ，ＶＬＢ，ＶＨ  電圧、ＶＨｒｅｆ  電圧指令値（ＶＨ）、ＶＨＡ，ＶＨＢ  ＶＨ制御範囲下限値、Ｗｉｎ  入力上限電力、Ｗｉｎ（Ｍ）  入力上限電力（主蓄電装置）、Ｗｉｎ（Ｓ）  入力上限電力（選択副蓄電装置）、Ｗｏｕｔ  出力上限電力、Ｗｏｕｔ（Ｍ）  出力上限電力（主蓄電装置）、Ｗｏｕｔ（Ｓ）  出力上限電力（選択副蓄電装置）。
【図１】
2010143277.tif 000003
【図２】
2010143277.tif 000004
【図３】
2010143277.tif 000005
【図４】
2010143277.tif 000006
【図５】
2010143277.tif 000007
【図６】
2010143277.tif 000008
【図７】
2010143277.tif 000009
【図８】
2010143277.tif 000010
【図９】
2010143277.tif 000011
【図１０】
2010143277.tif 000012
【図１１】
2010143277.tif 000013
【図１２】
2010143277.tif 000014
【図１３】
2010143277.tif 000015
【図１４】
2010143277.tif 000016
【手続補正書】
【提出日】平成22年2月12日(2010.2.12)
【手続補正１】
【補正対象書類名】明細書
【補正対象項目名】００１０
【補正方法】変更
【補正の内容】
【００１０】
この発明による電動車両の電源システムによれば、車両駆動パワーを発生するモータを搭載した電動車両の電源システムであって、主蓄電装置と、給電ラインと、第１の電圧変換器と、互いに並列に設けられた複数の副蓄電装置と、第２の電圧変換器と、接続部と、制御装置とを備える。給電ラインは、モータを駆動制御するインバータに給電を行なうように構成される。第１の電圧変換器は、給電ラインと主蓄電装置との間に設けられ、双方向の電圧変換を行なうように構成される。第２の電圧変換器は、複数の副蓄電装置と給電ラインとの間に設けられ、複数の副蓄電装置のうちの１つと給電ラインの間で双方向の電圧変換を行なうように構成される。接続部は、複数の副蓄電装置と第２の電圧変換器との間に設けられ、複数の副蓄電装置と第２の電圧変換器との間の接続および切離を制御するように構成される。制御装置は、第１のモードでは、複数の副蓄電装置のうちの、順次選択された選択副蓄電装置と第２の電圧変換器との間を接続するとともに残りの副蓄電装置と第２の電圧変換器との間を切離す一方で、第２のモードでは、複数の副蓄電装置の各々を第２の電圧変換器と切離すように接続部を制御する。そして、装置は、第１から第３の判定部を含む。第１の判定部は、第１のモードにおいて現在の選択蓄電装置と交換可能な副蓄電装置が残っていない場合に、選択副蓄電装置の残存容量が予め設定された第１の判定値よりも低い第１の状態であることを検知するように構成される。第２の判定部は、第１の判定部によって第１の状態が検知されたときに、電動車両の全体要求パワーへの対応性に関連する車両状態に応じて、第１のモードから第２のモードへの移行を指示する切離要求を発生するように構成される。第３の判定部は、第１のモードにおいて現在の選択蓄電装置の他に使用可能な副蓄電装置が残っていない場合に、選択副蓄電装置の残存容量が、第１の判定値より低い第２の判定値よりも低下した第２の状態が検知されたときに、車両状態にかかわらず切離要求を発生するように構成される。
【手続補正２】
【補正対象書類名】明細書
【補正対象項目名】００１７
【補正方法】変更
【補正の内容】
【００１７】
好ましくは、制御装置は、昇圧指示部と、電力制限部と、切離制御部と、昇圧停止許可部とを含む。昇圧指示部は、切離要求が発生されたときに、給電ラインの電圧を、少なくとも主蓄電装置および複数の副蓄電装置の各出力電圧よりも高い第１の電圧とするように第１の電圧変換器に指示するように構成される。電力制限部は、給電ラインの電圧が第１の電圧に達した後に、選択副蓄電装置による入出力電力上限値を徐々に零まで減少させるように構成される。切離制御部は、電力制限部によって入出力電力上限値が零に設定されたときに、接続部に対して、選択副蓄電装置を第２の電圧変換器から切離すとともに、残りの副蓄電装置と第２の電圧変換器との間の切離状態を維持するように指示する。昇圧停止許可部は、切離制御部によって各副蓄電装置が第２の電圧変換器から切離された後に、給電ラインの電圧制御範囲の下限値を、第１のモードにおける当該下限値よりも低下させて主蓄電装置の出力電圧に設定するように構成される。あるいは、制御方法は、切離要求が発生されたときに、給電ラインの電圧を、少なくとも主蓄電装置および複数の副蓄電装置の各出力電圧よりも高い第１の電圧とするように第１の電圧変換器に指示するステップと、給電ラインの電圧が第１の電圧に達した後に、選択副蓄電装置による入出力電力上限値を徐々に零まで減少させるステップと、減少させるステップによって入出力電力上限値が零に設定されたときに、接続部に対して、選択副蓄電装置を第２の電圧変換器から切離すとともに、残りの副蓄電装置と第２の電圧変換器との間の切離状態を維持するように指示するステップと、指示するステップによって各副蓄電装置が第２の電圧変換器から切離された後に、給電ラインの電圧制御範囲の下限値を、第１のモードにおける当該下限値よりも低下させて主蓄電装置の出力電圧に設定するステップとをさらに備える。
【手続補正３】
【補正対象書類名】明細書
【補正対象項目名】００１８
【補正方法】変更
【補正の内容】
【００１８】
このようにすると、副蓄電装置の切離の際には、主蓄電装置の出力電圧および新たに使用する副蓄電装置の出力電圧のいずれよりも高い第１の電圧まで給電ラインを昇圧した後に、新たに使用する副蓄電装置を第２の電圧変換器と接続することができる。これにより、給電ラインを介して、副蓄電装置と主蓄電装置との間で短絡経路が形成されることを防止できる。さらに、接続部によって全ての副蓄電装置をコンバータから切離すことによって、第２のモードでは、主蓄電装置と副蓄電装置との間で短絡経路が形成されることなく給電ラインの電圧を下げることが可能となる。したがって、第２のモードでは、第１の電圧変換器でのスイッチング損失を低減することによって電動車両のエネルギ効率を高めることが可能となる。
【手続補正４】
【補正対象書類名】特許請求の範囲
【補正対象項目名】請求項１
【補正方法】変更
【補正の内容】
【請求項１】
車両駆動パワーを発生するモータ（ＭＧ２）を搭載した電動車両（１）の電源システムであって、
主蓄電装置（ＢＡ）と、
前記モータを駆動制御するインバータ（２２）に給電を行なう給電ライン（ＰＬ２）と、
前記給電ラインと前記主蓄電装置との間に設けられ、双方向の電圧変換を行なうように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行なうように構成された第２の電圧変換器（１２Ｂ）と、
前記複数の副蓄電装置と前記第２の電圧変換器との間に設けられ、前記複数の副蓄電装置と前記第２の電圧変換器との間の接続および切離を制御するように構成された接続部（３９Ｂ）と、
第１のモードでは、前記複数の副蓄電装置のうちの、順次選択された選択副蓄電装置（ＢＢ）と前記第２の電圧変換器との間を接続するとともに残りの副蓄電装置と前記第２の電圧変換器との間を切離す一方で、第２のモードでは、前記複数の副蓄電装置の各々を前記第２の電圧変換器と切離すように前記接続部を制御するための制御装置（３０）とを備え、
前記制御装置は、
前記第１のモードにおいて現在の前記選択蓄電装置と交換可能な副蓄電装置が残っていない場合に、前記選択副蓄電装置の残存容量（ＳＯＣ）が予め設定された第１の判定値（ＴＨ１）よりも低い第１の状態であることを検知するように構成された第１の判定部（１０１）と、
前記第１の判定部によって前記第１の状態が検知されたときに、前記電動車両の車両状態に応じて、前記第１のモードから前記第２のモードへの移行を指示する切離要求を発生するように構成された第２の判定部（１０２，１０６，１０７）と、
前記第１のモードにおいて現在の前記選択蓄電装置と交換可能な副蓄電装置が残っていない場合に、前記選択副蓄電装置の残存容量が、前記第１の判定値より低い第２の判定値（ＴＨ２）よりも低下した第２の状態が検知されたときに、前記車両状態にかかわらず前記切離要求を発生するように構成された第３の判定部（１０３，１０７）とを含む、電動車両の電源システム。
【手続補正５】
【補正対象書類名】特許請求の範囲
【補正対象項目名】請求項５
【補正方法】変更
【補正の内容】
【請求項５】
前記制御装置は、
前記切離要求が発生されたときに、前記給電ラインの電圧（ＶＨ）を、少なくとも前記主蓄電装置および前記複数の副蓄電装置の各出力電圧よりも高い第１の電圧（Ｖ１）とするように前記第１の電圧変換器に指示するように構成された昇圧指示部（１１０）と、
前記給電ラインの電圧が前記第１の電圧に達した後に、前記選択副蓄電装置による入出力電力上限値（Ｗｉｎ（Ｓ），Ｗｏｕｔ（Ｓ））を徐々に零まで減少させるように構成された電力制限部（１２０）と、
前記電力制限部によって前記入出力電力上限値が零に設定されたときに、前記接続部に対して、前記選択副蓄電装置を前記第２の電圧変換器から切離すとともに、前記残りの副蓄電装置と前記第２の電圧変換器との間の切離状態を維持するように指示する切離制御部（１４０）と、
前記切離制御部によって各前記副蓄電装置が前記第２の電圧変換器から切離された後に、前記給電ラインの電圧制御範囲の下限値を、前記第１のモードにおける当該下限値よりも低下させて前記主蓄電装置の出力電圧に設定するように構成された昇圧停止許可部（１６０）とをさらに含む、請求項１〜４のいずれか１項に記載の電動車両の電源システム。
【手続補正６】
【補正対象書類名】特許請求の範囲
【補正対象項目名】請求項６
【補正方法】変更
【補正の内容】
【請求項６】
車両駆動パワーを発生するモータ（ＭＧ２）を搭載した電動車両（１）の電源システムの制御方法であって、
前記電源システムは、
主蓄電装置（ＢＡ）と、
前記モータを駆動制御するインバータ（２２）に給電を行なう給電ライン（ＰＬ２）と、
前記給電ラインと前記主蓄電装置との間に設けられ、双方向の電圧変換を行なうように構成された第１の電圧変換器（１２Ａ）と、
互いに並列に設けられた複数の副蓄電装置（ＢＢ１，ＢＢ２）と、
前記複数の副蓄電装置と前記給電ラインとの間に設けられ、前記複数の副蓄電装置のうちの１つと前記給電ラインの間で双方向の電圧変換を行なうように構成された第２の電圧変換器（１２Ｂ）と、
前記複数の副蓄電装置と前記第２の電圧変換器との間に設けられ、前記複数の副蓄電装置と前記第２の電圧変換器との間の接続および切離を制御するように構成された接続部（３９Ｂ）と、
第１のモードでは、前記複数の副蓄電装置のうちの、順次選択された選択副蓄電装置（ＢＢ）と前記第２の電圧変換器との間を接続するとともに残りの副蓄電装置と前記第２の電圧変換器との間を切離す一方で、第２のモードでは、前記複数の副蓄電装置の各々を前記第２の電圧変換器と切離すように前記接続部を制御するための制御装置（３０）とを備え、
前記制御方法は、
前記第１のモードにおいて現在の前記選択蓄電装置と交換可能な副蓄電装置が残っていない場合に、前記選択副蓄電装置の残存容量（ＳＯＣ）が予め設定された第１の判定値（ＴＨ１）よりも低い第１の状態であることを検知するステップ（Ｓ１１０、Ｓ１２０）と、
前記検知するステップによって前記第１の状態が検知されたときに、前記電動車両の車両状態に応じて、前記第１のモードから前記第２のモードへの移行を指示する切離要求を発生するステップ（Ｓ１３０）と、
前記第１のモードにおいて現在の前記選択蓄電装置と交換可能な副蓄電装置が残っていない場合に、前記選択副蓄電装置の残存容量が、前記第１の判定値より低い第２の判定値（ＴＨ２）よりも低下した第２の状態が検知されたときに、前記車両状態にかかわらず前記切離要求を発生するステップ（Ｓ１４０）とを備える、電動車両の電源システムの制御方法。
【手続補正７】
【補正対象書類名】特許請求の範囲
【補正対象項目名】請求項１０
【補正方法】変更
【補正の内容】
【請求項１０】
前記切離要求が発生されたときに、前記給電ラインの電圧（ＶＨ）を、少なくとも前記主蓄電装置および前記複数の副蓄電装置の各出力電圧よりも高い第１の電圧（Ｖ１）とするように前記第１の電圧変換器に指示するステップ（Ｓ２００）と、
前記給電ラインの電圧が前記第１の電圧に達した後に、前記選択副蓄電装置による入出力電力上限値（Ｗｉｎ（Ｓ），Ｗｏｕｔ（Ｓ））を徐々に零まで減少させるステップ（Ｓ３２０，Ｓ３３０）と、
前記減少させるステップによって前記入出力電力上限値が零に設定されたときに、前記接続部に対して、前記選択副蓄電装置を前記第２の電圧変換器から切離すとともに、前記残りの副蓄電装置と前記第２の電圧変換器との間の切離状態を維持するように指示するステップ（Ｓ４２０）と、
前記指示するステップによって各前記副蓄電装置が前記第２の電圧変換器から切離された後に、前記給電ラインの電圧制御範囲の下限値を、前記第１のモードにおける当該下限値よりも低下させて前記主蓄電装置の出力電圧に設定するステップ（Ｓ５６０）とをさらに備える、請求項６〜９のいずれか１項に記載の電動車両の電源システムの制御方法。
【国際調査報告】
2010143277.tif 000017
2010143277.tif 000018
2010143277.tif 000019
2010143277.tif 000020